(57)【要約】位相トラッキング参照信号（ＰＴ−ＲＳ）の数が複数のスロットに対して同じであることを保証するためのシステム、方法およびデバイス。無線送受信ユニット（ＷＴＲＵ）が、スケジュールされたリソースブロック（ＲＢ）の数を含む制御情報を受信し、スケジュールされたＲＢの数に基づいてＰＴ−ＲＳ密度を決定することができる。ＷＴＲＵは、最大ＲＢオフセット値を法とするＷＴＲＵ−ＩＤに基づいて、ＷＴＲＵのＲＢオフセット値を決定することができる。ＲＢオフセット値の最大値は、スケジュールされたＲＢの数とＰＴ−ＲＳ密度との少なくとも一方に基づくことができる。ＷＴＲＵは、ＲＢオフセット値に基づいてＰＴ−ＲＳを有する信号を送信または受信することができる。
2021503224.tif 000002
【特許請求の範囲】
【請求項１】
無線送受信ユニット（ＷＴＲＵ）によって実行される方法であって、
スケジュールされたリソースブロック（ＲＢ）の数を含む制御情報を受信することと、
スケジュールされたＲＢの数に基づいて位相トラッキング参照信号（ＰＴ−ＲＳ）密度を決定することと、
スケジュールされたＲＢの前記数および前記ＰＴ−ＲＳ密度の少なくとも１つに基づいて最大ＲＢオフセット値を決定することと、
前記最大ＲＢオフセット値を法とするＷＴＲＵ−ＩＤに基づいて、ＷＴＲＵのＲＢオフセット値を決定することと、
前記ＲＢオフセット値に基づいてＰＴ−ＲＳを有する信号を送信または受信することと
を備える方法。
【請求項２】
前記ＰＴ−ＲＳ密度は、２または４である、請求項１の方法。
【請求項３】
前記ＰＴ−ＲＳ密度を法とするスケジュールされたＲＢの前記数がゼロであるという条件で、前記最大ＲＢオフセット値は、前記ＰＴ−ＲＳ密度に基づく、請求項１の方法。
【請求項４】
前記ＰＴ−ＲＳ密度を法とするスケジュールされたリソースブロックの前記数がゼロではないとき、前記最大ＲＢオフセット値は、スケジュールされたリソースブロックの前記数および前記ＰＴ−ＲＳ密度の両方に基づく、請求項１の方法。
【請求項５】
前記制御情報は、ＷＴＲＵ識別に関連付けられる、請求項１の方法。
【請求項６】
ＷＴＲＵ識別は、Ｃ−ＲＮＴＩである、請求項１の方法。
【請求項７】
ＲＢオフセットは、ゼロから始まる数のセットを備える、請求項１の方法。
【請求項８】
前記ＰＴ−ＲＳ密度は、その後にＰＴ−ＲＳが繰り返すことができるＲＢインデックス内のＲＢの数である、請求項１の方法。
【請求項９】
ＰＴ−ＲＳを有する前記信号は、スケジュールされたＰＵＳＣＨで送信され、またはスケジュールされたＰＤＳＣＨで受信される、請求項１の方法。
【請求項１０】
無線送受信ユニット（ＷＴＲＵ）である装置であって、
プロセッサに動作可能なように結合されたトランシーバを備え、
前記トランシーバおよびプロセッサは、
スケジュールされたリソースブロック（ＲＢ）の数を含む制御情報を受信し、
スケジュールされたＲＢの数に基づいて位相トラッキング参照信号（ＰＴ−ＲＳ）密度を決定し、
スケジュールされたＲＢの前記数および前記ＰＴ−ＲＳ密度の少なくとも１つに基づいて最大ＲＢオフセット値を決定し、
前記最大ＲＢオフセット値を法とするＷＴＲＵ−ＩＤに基づいて、ＷＴＲＵのＲＢオフセット値を決定し、
前記ＲＢオフセット値に基づいてＰＴ−ＲＳを有する信号を送信または受信する
ように構成された装置。
【請求項１１】
前記ＰＴ−ＲＳ密度は、２または４である、請求項１０の装置。
【請求項１２】
前記ＰＴ−ＲＳ密度を法とするスケジュールされたＲＢの前記数がゼロであるという条件で、前記最大ＲＢオフセット値は、前記ＰＴ−ＲＳ密度に基づく、請求項１０の装置。
【請求項１３】
前記ＰＴ−ＲＳ密度を法とするスケジュールされたリソースブロックの前記数がゼロではないとき、前記最大ＲＢオフセット値は、スケジュールされたリソースブロックの前記数および前記ＰＴ−ＲＳ密度の両方に基づく、請求項１０の装置。
【請求項１４】
前記制御情報は、ＷＴＲＵ識別に関連付けられる、請求項１０の装置。
【請求項１５】
ＷＴＲＵ識別は、Ｃ−ＲＮＴＩである、請求項１０の装置。
【請求項１６】
ＲＢオフセットは、ゼロから始まる数のセットを備える、請求項１０の装置。
【請求項１７】
前記ＰＴ−ＲＳ密度は、その後にＰＴ−ＲＳが繰り返すことができるＲＢインデックス内のＲＢの数である、請求項１０の装置。
【請求項１８】
ＰＴ−ＲＳを有する前記信号は、スケジュールされたＰＵＳＣＨで送信され、またはスケジュールされたＰＤＳＣＨで受信される、請求項１０の装置。
【発明の詳細な説明】
【技術分野】
【０００１】
関連出願の相互参照
本出願は、2017年11月15日に出願された米国特許仮出願第62,586,642号、および2018年8月21日に出願された米国特許出願第62/720,614号の利益を主張するものであり、それらの内容は、参照により本明細書に組み込まれる。
【背景技術】
【０００２】
高度な無線システムでは、利用可能な広い帯域幅を活用するために、６ＧＨｚ周波数を上回るスペクトルに対して高いデータ要件が存在することがある。これらの周波数を使用することの１つの課題は、より高い周波数では自由空間経路損失がより大きいため、特に屋外環境で大きな伝搬損失があり得ることである。これらの問題に対処するためにシステム、方法、およびデバイスが使用され得る。
【発明の概要】
【０００３】
位相トラッキング参照信号（Phase Tracking Reference Signal：ＰＴ−ＲＳ）の数が複数のスロットに対して同じであることを保証するためのシステム、方法およびデバイスが提供される。無線送受信ユニット（ＷＴＲＵ）は、スケジュールされたリソースブロック（ＲＢ）の数を含む制御情報を受信し、次いで、スケジュールされたＲＢの数に基づいてＰＴ−ＲＳ密度を決定することができる。ＷＴＲＵは、最大ＲＢオフセット値を法とするＷＴＲＵ−ＩＤに基づいて、ＷＴＲＵのＲＢオフセット値を決定することができ、ここで、ＲＢオフセット値の最大値は、スケジュールされたＲＢの数とＰＴ−ＲＳ密度との少なくとも一方に基づくことができる。次いで、ＷＴＲＵは、ＲＢオフセット値に基づいてＰＴ−ＲＳを有する信号を送信または受信することができる。
【図面の簡単な説明】
【０００４】
添付図面と併せて例として与えられる以下の説明から、より詳細な理解が得られ、図面では同様の参照番号は同様の要素を示す。
【図１Ａ】１つまたは複数の開示されている実施形態が実装され得る例示的通信システムを示すシステム図である。
【図１Ｂ】実施形態による、図１Ａに示された通信システム内で使用され得る例示的無線送受信ユニット（ＷＴＲＵ）を示すシステム図である。
【図１Ｃ】実施形態による、図１Ａに示された通信システム内で使用され得る例示的無線アクセスネットワーク（ＲＡＮ）および例示的コアネットワーク（ＣＮ）を示すシステム図である。
【図１Ｄ】実施形態による、図１Ａに示された通信システム内で使用され得るさらなる例示的ＲＡＮおよびさらなる例示的ＣＮを示すシステム図である。
【図２】例示的ＰＴ−ＲＳ時間密度の図である。
【図３】Ｎ個のチャンクを有するＤＦＴ−ｓ−ＯＦＤＭのための例示的なチャンクベースのｐｒｅ−ＤＦＴ  ＰＴ−ＲＳの図である。
【図４】例示的ノーマル巡回プレフィックス（ＣＰ）の図である。
【図５】例示的な拡張されたＣＰ（仮想ＣＰ）の図である。
【図６】例示的な単純なＵＷとＣＷの組み合わせの図のセットである。
【図７】例示的摂動手法の図である。
【図８】ＤＦＴ−ｓ−ＯＦＤＭのための例示的な動的手法の図である。
【図９】ＤＦＴ−ｓ−ＯＦＤＭのための例示的な動的手法の図である。
【図１０】ＰＴ−ＲＳ周波数密度の例の図である。
【図１１Ａ】ＲＢオフセット値の例の図である。
【図１１Ｂ】スケジュールされた帯域幅に対する同じ数のＰＴ−ＲＳを維持するための例示的プロセスの図である。
【図１２】ＰＴ−ＲＳを含むＲＢの例示的巡回シフトの図である。
【図１３】異なるＲＢオフセット値を有する７つのＲＢに関するＰＴ−ＲＳマッピングの例の図である。
【図１４】７ＲＢおよび１３ＲＢ幅スケジューリングに関する例示的ＰＴ−ＲＳマッピングの図である。
【図１５】動的ＲＢオフセット値を有する７つのＲＢに関する例示的ＰＴ−ＲＳマッピングの図である。
【図１６】動的ＲＢオフセット値を有する１３個のＲＢ送信に関するＰＴ−ＲＳマッピングの例の図である。
【図１７】シンボル位置に基づく例示的ＰＴ−ＲＳ周波数位置の図である。
【図１８】ＲＢＧに基づく例示的ＰＴ−ＲＳ周波数密度の図である。
【図１９】ｐｉ／２ＢＰＳＫデータ変調に関する例示的ＰＴ−ＲＳ生成の図である。
【図２０】ｐｉ／２ＢＰＳＫデータ変調およびＯＣＣに関する例示的ＰＴ−ＲＳ生成の図である。
【図２１】ＯＣＣを通した巡回の例の図である。
【図２２】ｐｉ／２ＢＰＳＫおよびＱＰＳＫコンスタレーションの例示的コンスタレーションを示す図である。
【図２３】共通のＰＴ−ＲＳ設計の例の図である。
【図２４】例示的なＯＣＣ適用の図である。
【図２５】例示的なＯＣＣ適用の図である。
【図２６】代替的ｐｉ／２ＢＰＳＫコンスタレーションの例示的コンスタレーションを示す図である。
【図２７】ＣＰエクステンダブロック（CP extender block）を用いる予め決定されたＲＳに基づくＣＰ拡張ＲＳの例示的生成の図である。
【図２８】ＣＰエクステンダブロックを用いて仮想ＣＰを実現するための例示的信号構造の図である。
【図２９】ＣＰエクステンダブロックを導出するための波形行列の例示的分割の図である。
【図３０】仮想ＣＰを有する例示的ＮＲヌメロロジの送信図である。
【図３１】仮想ＣＰを有する例示的ＮＲヌメロロジの信号図である。
【図３２】ＣＰ拡張ＲＳを用いるＣＰ拡張の例示的二倍化を示す図である。
【図３３】例示的ＣＰ拡張ＰＴ−ＲＳ設計の図である。
【図３４】ＣＰエクステンダブロックを用いる仮想ＣＰのための例示的信号構造の図である。
【図３５】完全なＰＴ−ＲＳのためのＣＰエクステンダブロックを導出するための波形行列の分割の例の図である。
【発明を実施するための形態】
【０００５】
図１Ａは、１つまたは複数の開示されている実施形態が実装され得る例示的通信システム１００を示す図である。通信システム１００は、音声、データ、ビデオ、メッセージング、ブロードキャストなどのコンテンツを複数の無線ユーザに提供する多元接続システムであり得る。通信システム１００は、複数の無線ユーザが、無線帯域幅を含むシステムリソースの共有によってそのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタされたＯＦＤＭ（resource block-filtered OFDM）、およびフィルタバンクマルチキャリア（ＦＢＭＣ）などの１つまたは複数のチャネルアクセス方法を採用することができる。
【０００６】
図１Ａに示されるように、通信システム１００は、無線送受信ユニット（ＷＴＲＵ）１０２ａ、１０２ｂ、１０２ｃ、１０２ｄ、ＲＡＮ１０４／１１３、ＣＮ１０６／１１５、公衆交換電話網（ＰＳＴＮ）１０８、インターネット１１０、並びに他のネットワーク１１２を含むことができるが、開示される実施形態は任意の数のＷＴＲＵ、基地局、ネットワーク、および／またはネットワーク要素を企図していることが理解されよう。ＷＴＲＵ１０２ａ、１０２ｂ、１０２ｃ、１０２ｄのそれぞれは、無線環境で動作および／または通信するように構成された任意のタイプのデバイスであり得る。例えば、ＷＴＲＵ１０２ａ、１０２ｂ、１０２ｃ、１０２ｄは、いずれも「局」および／または「ＳＴＡ」と呼ばれることがあり、無線信号を送信および／または受信するように構成されてよく、ユーザ機器（ＵＥ）、移動局、固定またはモバイル加入者ユニット、サブスクリプションベースのユニット、ページャ、セルラ電話、携帯情報端末（ＰＤＡ）、スマートフォン、ラップトップ、ネットブック、パーソナルコンピュータ、無線センサ、ホットスポットまたはＭｉ−Ｆｉデバイス、ＩｏＴデバイス、時計または他のウェアラブル、ヘッドマウントディスプレイ（ＨＭＤ）、車両、ドローン、医療デバイスおよびアプリケーション（例えば、遠隔手術）、産業デバイスおよびアプリケーション（例えば、産業および／または自動化処理チェーンのコンテキストで動作するロボットおよび／または他の無線デバイス）、家庭用電子機器、並びに商業および／または産業無線ネットワークで動作するデバイスなどを含み得る。ＷＴＲＵ１０２ａ、１０２ｂ、１０２ｃおよび１０２ｄのいずれも交換可能にＵＥと呼ばれてよい。
【０００７】
通信システム１００は、基地局１１４ａおよび／または基地局１１４ｂを含むこともできる。基地局１１４ａ、１１４ｂのそれぞれは、ＷＴＲＵ１０２ａ、１０２ｂ、１０２ｃ、１０２ｄのうちの少なくとも１つとワイヤレスでインターフェースして、ＣＮ１０６／１１５、インターネット１１０、および／または他のネットワーク１１２などの１つまたは複数の通信ネットワークに対するアクセスを容易にするように構成された任意のタイプのデバイスであり得る。例えば、基地局１１４ａ、１１４ｂは、基地トランシーバ局（ＢＴＳ）、Ｎｏｄｅ−Ｂ、ｅＮｏｄｅ  Ｂ、ホームＮｏｄｅ  Ｂ、ホームｅＮｏｄｅ  Ｂ、ｇＮＢ、ＮＲ  ＮｏｄｅＢ、サイトコントローラ、アクセスポイント（ＡＰ）、無線ルータなどであり得る。基地局１１４ａ、１１４ｂはそれぞれ単一の要素として示されているが、基地局１１４ａ、１１４ｂは任意の数の相互接続された基地局および／またはネットワーク要素を含み得ることは理解されよう。
【０００８】
本明細書で論じられるように、無線デバイスは、本明細書で論じられるＷＴＲＵまたは基地局のような、無線通信を実行するネットワーク上の任意のノードであってよい。
【０００９】
基地局１１４ａは、基地局コントローラ（ＢＳＣ）、無線ネットワークコントローラ（ＲＮＣ）、中継ノードなど、他の基地局および／またはネットワーク要素（図示せず）をも含み得る、ＲＡＮ１０４／１１３の一部とすることができる。基地局１１４ａおよび／または基地局１１４ｂは、セル（図示せず）と呼ばれることがある１つまたは複数のキャリア周波数上で無線信号を送信および／または受信するように構成され得る。これらの周波数は、認可されたスペクトル、認可されていないスペクトル、または認可されたスペクトルと認可されていないスペクトルの組み合わせ内にあり得る。セルは、相対的に固定され得るまたは時間経過と共に変化し得る特定の地理的エリアに、無線サービスのためのカバレッジを提供することができる。セルは、さらにセルセクタに分割され得る。例えば、基地局１１４ａに関連付けられたセルが、３つのセクタに分割され得る。従って、一実施形態では、基地局１１４ａは、３つのトランシーバ、すなわちセルの各セクタについて１つのトランシーバを含むことができる。実施形態において、基地局１１４ａは、ＭＩＭＯ技術を採用することができ、セルの各セクタについて複数のトランシーバを利用することができる。例えば、ビームフォーミングが、所望の空間方向で信号を送信および／または受信するために使用されてよい。
【００１０】
基地局１１４ａ、１１４ｂは、任意の適切な無線通信リンク（例えば、無線周波数（ＲＦ）、マイクロ波、センチメートル波、マイクロメートル波、赤外線（ＩＲ）、紫外線（ＵＶ）、可視光など）であり得るエアインターフェース１１６を介して、ＷＴＲＵ１０２ａ、１０２ｂ、１０２ｃ、１０２ｄのうちの１つまたは複数と通信することができる。エアインターフェース１１６は、任意の適切な無線アクセス技術（ＲＡＴ）を使用して確立され得る。
【００１１】
より具体的には、上記されたように、通信システム１００は、多元接続システムとすることができ、ＣＤＭＡ、ＴＤＭＡ、ＦＤＭＡ、ＯＦＤＭＡ、ＳＣ−ＦＤＭＡなどの１つまたは複数のチャネルアクセス方式を採用することができる。例えば、ＲＡＮ１０４／１１３内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１５／１１６／１１７を確立することが可能な、ユニバーサル移動体通信システム（ＵＭＴＳ）地上無線アクセス（ＵＴＲＡ）などの無線技術を実装することができる。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速ＵＬパケットアクセス（ＨＳＵＰＡ）を含み得る。
【００１２】
実施形態において、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立することが可能な、発展型ＵＭＴＳ地上無線アクセス（Ｅ−ＵＴＲＡ）などの無線技術を実装することができる。
【００１３】
実施形態において、基地局１１４ａおよびＷＴＲＵ１０２ａ、１０２ｂ、１０２ｃは、Ｎｅｗ  Ｒａｄｉｏ（ＮＲ）を使用してエアインターフェース１１６を確立することが可能な、ＮＲ無線アクセスなどの無線技術を実装することができる。
【００１４】
実施形態において、基地局１１４ａおよびＷＴＲＵ１０２ａ、１０２ｂ、１０２ｃは、複数の無線アクセス技術を実装することができる。例えば、基地局１１４ａおよびＷＴＲＵ１０２ａ、１０２ｂ、１０２ｃは、例えばデュアル接続性（ＤＣ）原理を使用して、ＬＴＥ無線アクセスとＮＲ無線アクセスを一緒に実装することができる。従って、ＷＴＲＵ１０２ａ、１０２ｂ、１０２ｃによって利用されるエアインターフェースは、複数のタイプの無線アクセス技術、および／または複数のタイプの基地局（例えば、ｅＮＢおよびｇＮＢ）へ／から送られる送信によって特徴付けられ得る。
【００１５】
他の実施形態では、基地局１１４ａおよびＷＴＲＵ１０２ａ、１０２ｂ、１０２ｃは、ＩＥＥＥ８０２．１１（すなわち、ＷｉＦｉ（Wireless Fidelity））、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、ＧＳＭ（登録商標）（Global System for Mobile Communications）、ＧＳＭ進化型高速データレート（ＥＤＧＥ）、ＧＳＭ  ＥＤＧＥ（ＧＥＲＡＮ）などの無線技術を実装することができる。
【００１６】
図１Ａの基地局１１４ｂは、例えば、無線ルータ、ホームＮｏｄｅ  Ｂ、ホームｅＮｏｄｅ  Ｂ、またはアクセスポイントとすることができ、事業所、家、車両、キャンパス、産業施設、（例えば、ドローンで使用するための）空中回廊、道路などの局所化されたエリア内で無線接続性を促進するための任意の適切なＲＡＴを利用することができる。一実施形態では、基地局１１４ｂおよびＷＴＲＵ１０２ｃ、１０２ｄは、ＩＥＥＥ８０２．１１などの無線技術を実装して、無線ローカルエリアネットワーク（ＷＬＡＮ）を確立することができる。実施形態において、基地局１１４ｂおよびＷＴＲＵ１０２ｃ、１０２ｄは、ＩＥＥＥ８０２．１５などの無線技術を実装して、無線パーソナルエリアネットワーク（ＷＰＡＮ）を確立することができる。さらに別の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立することができる。図１Ａに示されるように、基地局１１４ｂは、インターネット１１０に対する直接接続を有することができる。従って、基地局１１４ｂは、ＣＮ１０６／１１５を介してインターネット１１０にアクセスすることを必要とされなくてよい。
【００１７】
ＲＡＮ１０４／１１３は、ＣＮ１０６／１１５と通信することができ、ＣＮ１０６／１１５は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された任意のタイプのネットワークであり得る。データは、異なるスループット要件、レイテンシ要件、エラー耐性要件、信頼性要件、データスループット要件、モビリティ要件など、変化するサービス品質（ＱｏＳ）要件を有し得る。ＣＮ１０６／１１５は、呼制御、課金サービス、モバイル位置情報サービス、プリペイド通話、インターネット接続性、ビデオ配信などを提供すること、および／またはユーザ認証などの高レベルセキュリティ機能を実行することができる。図１Ａには示されていないが、ＲＡＮ１０４／１１３および／またはＣＮ１０６／１１５は、ＲＡＮ１０４／１１３と同じＲＡＴまたは異なるＲＡＴを採用する他のＲＡＮと直接的または間接的に通信し得ることが理解されるであろう。例えば、ＮＲ無線技術を利用中であり得るＲＡＮ１０４／１１３に接続されることに加えて、ＣＮ１０６／１１５は、ＧＳＭ、ＵＭＴＳ、ＣＤＭＡ２０００、ＷｉＭＡＸ、Ｅ−ＵＴＲＡ、またはＷｉＦｉ無線技術を採用している別のＲＡＮ（図示せず）と通信することもできる。
【００１８】
ＣＮ１０６／１１５は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイの役割をすることもできる。ＰＳＴＮ１０８は、基本電話サービス（ＰＯＴＳ）を提供する回線交換電話網を含み得る。インターネット１１０は、ＴＣＰ／ＩＰインターネットプロトコルスイートにおけるＴＣＰ、ＵＤＰおよび／またはＩＰなどの一般的な通信プロトコルを使用する、相互接続されたコンピュータネットワークおよびデバイスのグローバルシステムを含み得る。ネットワーク１１２は、他のサービスプロバイダによって所有および／または運用される有線および／または無線通信ネットワークを含み得る。例えば、ネットワーク１１２は、ＲＡＮ１０４／１１３と同じＲＡＴまたは異なるＲＡＴを採用してよい１つまたは複数のＲＡＮに接続された別のＣＮを含み得る。
【００１９】
通信システム１００内のＷＴＲＵ１０２ａ、１０２ｂ、１０２ｃ、１０２ｄの一部または全部がマルチモード能力を含んでよい（例えば、ＷＴＲＵ１０２ａ、１０２ｂ、１０２ｃ、１０２ｄは、異なる無線リンクを介して異なる無線ネットワークと通信するための複数のトランシーバを含んでよい）。例えば、図１Ａに示されるＷＴＲＵ１０２ｃは、セルラベースの無線技術を採用できる基地局１１４ａ、およびＩＥＥＥ８０２無線技術を採用できる基地局１１４ｂと通信するように構成され得る。
【００２０】
図１Ｂは、例示的ＷＴＲＵ１０２を示すシステム図である。図１Ｂに示されるように、ＷＴＲＵ１０２は、特に、プロセッサ１１８、トランシーバ１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６、および／または他の周辺機器１３８を含むことができる。ＷＴＲＵ１０２は、実施形態との整合性を保ちながら上記の要素の任意の部分的組み合わせを含み得ることが理解されよう。
【００２１】
プロセッサ１１８は、汎用プロセッサ、専用プロセッサ、従来のプロセッサ、デジタルシグナルプロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、状態機械などであり得る。プロセッサ１１８は、ＷＴＲＵ１０２が無線環境で動作することを可能にする信号符号化、データ処理、電力制御、入力／出力処理、および／または他の任意の機能性を実行することができる。プロセッサ１１８は、送受信要素１２２に結合され得るトランシーバ１２０に結合され得る。図１Ｂは、プロセッサ１１８とトランシーバ１２０を別々の構成要素として示すが、プロセッサ１１８とトランシーバ１２０は電子パッケージまたはチップに一緒に組み込まれてもよいことが理解されよう。
【００２２】
送受信要素１２２は、エアインターフェース１１６を介して信号を基地局（例えば基地局１１４ａ）に送信し、または基地局から受信するように構成され得る。例えば、一実施形態では、送受信要素１２２は、ＲＦ信号を送信および／または受信するように構成されたアンテナであり得る。実施形態において、送受信要素１２２は、例えば、ＩＲ信号、ＵＶ信号または可視光信号を送信および／または受信するように構成されたエミッタ／検出器であり得る。さらに別の実施形態では、送受信要素１２２は、ＲＦ信号と光信号の両方を送信および／または受信するように構成され得る。送受信要素１２２は、無線信号の任意の組み合わせを送信および／または受信するように構成され得ることが理解されよう。
【００２３】
送受信要素１２２は、図１Ｂでは単一の要素として示されているが、ＷＴＲＵ１０２は任意の数の送受信要素１２２を含んでよい。より具体的には、ＷＴＲＵ１０２はＭＩＭＯ技術を採用することができる。従って、一実施形態では、ＷＴＲＵ１０２は、エアインターフェース１１６を介して無線信号を送信および受信するための２つ以上の送受信要素１２２（例えば、複数のアンテナ）を含むことができる。
【００２４】
トランシーバ１２０は、送受信要素１２２によって送信されることになる信号を変調し、送受信要素１２２によって受信された信号を復調するように構成され得る。上記されたように、ＷＴＲＵ１０２はマルチモード能力を有することができる。従って、トランシーバ１２０は、例えば、ＮＲおよびＩＥＥＥ８０２．１１などの複数のＲＡＴを介してＷＴＲＵ１０２が通信することを可能にするために複数のトランシーバを含み得る。
【００２５】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニットもしくは有機発光ダイオード（ＯＬＥＤ）ディスプレイユニット）に結合されることができ、それらからユーザ入力データを受信することができる。プロセッサ１１８はまた、スピーカ／マイクロフォン１２４、キーパッド１２６および／またはディスプレイ／タッチパッド１２８にユーザデータを出力することができる。プロセッサ１１８は、非リムーバブルメモリ１３０および／またはリムーバブルメモリ１３２などの任意のタイプの適切なメモリの情報にアクセスすることができ、それらのメモリにデータを記憶することができる。非リムーバブルメモリ１３０は、ＲＡＭ、ＲＯＭ、ハードディスク、または他の任意のタイプのメモリストレージデバイスを含み得る。リムーバブルメモリ１３２は、加入者識別モジュール（ＳＩＭ）カード、メモリスティック、セキュアデジタル（ＳＤ）メモリカードなどを含み得る。他の実施形態では、プロセッサ１１８は、ＷＴＲＵ１０２上に物理的に位置付けられていない、サーバまたはホームコンピュータ（図示せず）上などのメモリの情報にアクセスすることができ、それらのメモリにデータを記憶することができる。
【００２６】
プロセッサ１１８は、電源１３４から電力を受け取ることができ、ＷＴＲＵ１０２における他の構成要素に対する電力を分配および／または制御するように構成され得る。電源１３４は、ＷＴＲＵ１０２に電力供給するための任意の適切なデバイスであり得る。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００２７】
プロセッサ１１８はまた、ＷＴＲＵ１０２の現在位置に関する位置情報（例えば、経度および緯度）を提供するように構成され得るＧＰＳチップセット１３６に結合され得る。ＧＰＳチップセット１３６からの情報に加えて、またはその代わりに、ＷＴＲＵ１０２は、基地局（例えば、基地局１１４ａ、１１４ｂ）からエアインターフェース１１６を介して位置情報を受信し、および／または２つ以上の近くの基地局から受信される信号のタイミングに基づいて、その位置を決定してもよい。ＷＴＲＵ１０２は、実施形態との整合性を保ちながら、任意の適切な位置決定方法によって位置情報を取得し得ることが理解されよう。
【００２８】
プロセッサ１１８は、追加の特徴、機能性、および／または有線もしくは無線接続性を提供する１つまたは複数のソフトウェアおよび／またはハードウェアモジュールを含み得る、他の周辺機器１３８にさらに結合されてよい。例えば、周辺機器１３８は、加速度計、電子コンパス、衛星トランシーバ、（写真および／またはビデオ用）デジタルカメラ、ＵＳＢポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、仮想現実および／または拡張現実（ＶＲ／ＡＲ）デバイス、アクティビティトラッカなどを含み得る。周辺機器１３８は、１つまたは複数のセンサを含んでよく、センサは、ジャイロスコープ、加速度計、ホール効果センサ、方位センサ、近接センサ、温度センサ、時間センサ、ジオロケーションセンサ、高度計、光センサ、タッチセンサ、磁力計、気圧計、ジェスチャセンサ、バイオメトリックセンサ、および／または湿度センサのうち１つまたは複数であってよい。
【００２９】
ＷＴＲＵ１０２は全二重無線を含んでよく、全二重無線に関して、（例えば、ＵＬ（例えば送信用）とダウンリンク（例えば受信用）の両方のための特定のサブフレームに関連付けられた）信号の一部または全部の送信および受信が、並列および／または同時であってよい。全二重無線は、ハードウェア（例えばチョーク）を介して、またはプロセッサによる（例えば、別々のプロセッサ（図示せず）もしくはプロセッサ１１８による）信号処理を介して、自己干渉を低減し、および／または実質的に除去するための干渉管理ユニット１３９を含むことができる。実施形態において、ＷＴＲＵ１０２は、半二重無線を含んでよく、半二重無線に関して、（例えば、ＵＬ（例えば送信用）またはダウンリンク（例えば受信用）のいずれかのための特定のサブフレームに関連付けられた）信号の一部または全部の送信および受信が、並列および／または同時であってよい。
【００３０】
図１Ｃは、実施形態によるＲＡＮ１０４およびＣＮ１０６を示すシステム図である。上記されたように、ＲＡＮ１０４は、Ｅ−ＵＴＲＡ無線技術を採用して、エアインターフェース１１６を介してＷＴＲＵ１０２ａ、１０２ｂ、１０２ｃと通信することができる。ＲＡＮ１０４は、ＣＮ１０６と通信することもできる。
【００３１】
ＲＡＮ１０４は、ｅＮｏｄｅ−Ｂ１６０ａ、１６０ｂ、１６０ｃを含むことができるが、ＲＡＮ１０４は、実施形態との整合性を保ちながら、任意の数のｅＮｏｄｅ−Ｂを含み得ることが理解されよう。ｅＮｏｄｅ−Ｂ１６０ａ、１６０ｂ、１６０ｃはそれぞれ、エアインターフェース１１６を介してＷＴＲＵ１０２ａ、１０２ｂ、１０２ｃと通信するための１つまたは複数のトランシーバを含むことができる。一実施形態では、ｅＮｏｄｅ−Ｂ１６０ａ、１６０ｂ、１６０ｃは、ＭＩＭＯ技術を実装することができる。従って、ｅＮｏｄｅ−Ｂ１６０ａは、例えば、複数のアンテナを使用して、ＷＴＲＵ１０２ａに無線信号を送信すること、および／またはＷＴＲＵ１０２ａから無線信号を受信することができる。
【００３２】
ｅＮｏｄｅ−Ｂ１６０ａ、１６０ｂ、１６０ｃのそれぞれは、特定のセル（図示せず）に関連付けられることが可能であり、無線リソース管理決定、ハンドオーバ決定、ＵＬおよび／またはＤＬにおけるユーザのスケジューリングなどを処理するように構成され得る。図１Ｃに示されるように、ｅＮｏｄｅ−Ｂ１６０ａ、１６０ｂ、１６０ｃは、Ｘ２インターフェースを介して互いに通信することができる。
【００３３】
図１Ｃに示されるＣＮ１０６は、モビリティ管理エンティティ（ＭＭＥ）１６２、サービングゲートウェイ（ＳＧＷ）１６４、およびパケットデータネットワーク（ＰＤＮ）ゲートウェイ（すなわちＰＧＷ）１６６を含むことができる。上記の要素のそれぞれはＣＮ１０６の一部として示されているが、これらの要素のいずれも、ＣＮ事業者以外のエンティティによって所有および／または運用されてもよいことは理解されよう。
【００３４】
ＭＭＥ１６２は、Ｓ１インターフェースを介してＲＡＮ１０４内のｅＮｏｄｅ−Ｂ１６０ａ、１６０ｂ、１６０ｃのそれぞれに接続されることが可能であり、制御ノードの役割をすることができる。例えば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期アタッチ中に特定のサービングゲートウェイを選択することなどを担当することができる。ＭＭＥ１６２は、ＲＡＮ１０４と、ＧＳＭおよび／またはＷＣＤＭＡなどの他の無線技術を採用する他のＲＡＮ（図示せず）との間で切り替えるための制御プレーン機能を提供することができる。
【００３５】
ＳＧＷ１６４は、Ｓ１インターフェースを介してＲＡＮ１０４内のｅＮｏｄｅ−Ｂ１６０ａ、１６０ｂ、１６０ｃのそれぞれに接続され得る。ＳＧＷ１６４は、一般に、ＷＴＲＵ１０２ａ、１０２ｂ、１０２ｃへ／からのユーザデータパケットをルーティングおよび転送することができる。ＳＧＷ１６４は、ｅＮｏｄｅ  Ｂ間ハンドオーバ中にユーザプレーンをアンカリングすること、ＤＬデータがＷＴＲＵ１０２ａ、１０２ｂ、１０２ｃに利用可能なときにページングをトリガすること、ＷＴＲＵ１０２ａ、１０２ｂ、１０２ｃのコンテキストを管理および記憶することなど、他の機能を実行することができる。
【００３６】
ＳＧＷ１６４は、ＰＧＷ１６６に接続されてもよく、ＰＧＷ１６６は、インターネット１１０などのパケット交換ネットワークに対するアクセスをＷＴＲＵ１０２ａ、１０２ｂ、１０２ｃに提供して、ＷＴＲＵ１０２ａ、１０２ｂ、１０２ｃとＩＰ対応のデバイスとの間の通信を容易にすることができる。
【００３７】
ＣＮ１０６は、他のネットワークとの通信を容易にすることができる。例えば、ＣＮ１０６は、ＰＳＴＮ１０８などの回線交換ネットワークに対するアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。例えば、ＣＮ１０６は、ＣＮ１０６とＰＳＴＮ１０８との間のインターフェースの役割をするＩＰゲートウェイ（例えば、ＩＰマルチメディアサブシステム（ＩＭＳ）サーバ）を含むことができ、またはＩＰゲートウェイと通信することができる。また、ＣＮ１０６は、他のサービスプロバイダによって所有および／または運用される他の有線および／または無線ネットワークを含み得る他のネットワーク１１２に対するアクセスを、ＷＴＲＵ１０２ａ、１０２ｂ、１０２ｃに提供することができる。
【００３８】
図１Ａ〜図１ＤではＷＴＲＵが無線端末として説明されているが、特定の代表的実施形態では、そのような端末が通信ネットワークとの有線通信インターフェースを（例えば、一時的または永続的に）使用してよいことが企図される。
【００３９】
代表的実施形態では、他のネットワーク１１２はＷＬＡＮであってよい。
【００４０】
インフラストラクチャ基本サービスセット（ＢＳＳ）モードのＷＬＡＮは、ＢＳＳのためのアクセスポイント（ＡＰ）と、ＡＰに関連付けられた１つまたは複数の局（ＳＴＡ）とを有することができる。ＡＰは、分配システム（ＤＳ）に対するアクセスもしくはインターフェース、またはＢＳＳ内および／もしくは外へのトラフィックを搬送する別のタイプの有線／無線のネットワークを有することができる。ＢＳＳ外部から生じるＳＴＡへのトラフィックは、ＡＰを介して到達してよく、ＳＴＡに送達されてよい。ＳＴＡから生じるＢＳＳ外部の宛先へのトラフィックは、それぞれの宛先に送達されるべくＡＰに送られてよい。ＢＳＳ内のＳＴＡ間のトラフィックはＡＰを介して送られてよく、例えば、ソースＳＴＡがＡＰにトラフィックを送ってよく、ＡＰが宛先ＳＴＡにトラフィックを送達してよい。ＢＳＳ内のＳＴＡ間のトラフィックは、ピアツーピアトラフィックとみなされ、および／または呼ばれ得る。ピアツーピアトラフィックは、直接リンクセットアップ（ＤＬＳ）を用いて、ソースＳＴＡと宛先ＳＴＡとの間で（例えば、直接）送られてよい。特定の代表的実施形態では、ＤＬＳは、８０２．１１ｅ  ＤＬＳまたは８０２．１１ｚトンネルＤＬＳ（ＴＤＬＳ）を使用し得る。独立ＢＳＳ（ＩＢＳＳ）モードを使用するＷＬＡＮは、ＡＰを有しなくてよく、ＩＢＳＳ内のまたはＩＢＳＳを使用しているＳＴＡ（例えば、ＳＴＡの全て）は、互いに直接通信してよい。ＩＢＳＳモードの通信は、本明細書では「アドホック」モードの通信と呼ばれることがある。
【００４１】
８０２．１１ａｃインフラストラクチャモードの動作モードまたは類似の動作モードを使用しているとき、ＡＰは一次チャネルなどの固定されたチャネルでビーコンを送信することができる。一次チャネルは、固定された幅（例えば、２０ＭＨｚ帯域幅）でよく、またはシグナリングによって動的に設定される幅でよい。一次チャネルは、ＢＳＳの動作チャネルでよく、ＳＴＡによってＡＰとの接続を確立するために使用されてよい。特定の代表的実施形態では、例えば、８０２．１１システムにおいて、キャリア検知多重アクセス／衝突回避（ＣＳＭＡ／ＣＡ）が実装され得る。ＣＳＭＡ／ＣＡでは、ＡＰを含むＳＴＡ（例えば、全てのＳＴＡ）が一次チャネルを検知することができる。特定のＳＴＡによって一次チャネルがビジーであると検知／検出および／または決定された場合、特定のＳＴＡはバックオフし得る。１つのＳＴＡ（例えば、１つの局のみ）が、所与のＢＳＳにおいて任意の所与の時間に送信することができる。
【００４２】
高スループット（ＨＴ）ＳＴＡは、例えば、一次２０ＭＨｚチャネルを隣接または非隣接の２０ＭＨｚチャネルと組み合わせて４０ＭＨｚ幅チャネルを形成することにより、４０ＭＨｚ幅チャネルを通信に使用することができる。
【００４３】
超高スループット（ＶＨＴ）ＳＴＡは、２０ＭＨｚ、４０ＭＨｚ、８０ＭＨｚおよび／または１６０ＭＨｚ幅チャネルをサポートすることができる。４０ＭＨｚおよび／または８０ＭＨｚチャネルは、連続した２０ＭＨｚチャネルを組み合わせることによって形成されてよい。１６０ＭＨｚチャネルは、８つの連続した２０ＭＨｚチャネルを組み合わせることによって、または２つの不連続の８０ＭＨｚチャネルを組み合わせることによって形成されてよく、８０＋８０構成と呼ばれることがある。８０＋８０構成では、データは、チャネル符号化の後に、データを２つのストリームに分割できるセグメントパーサに通されてよい。逆高速フーリエ変換（ＩＦＦＴ）処理および時間ドメイン処理が、各ストリームに対して別個に行われてよい。ストリームは２つの８０ＭＨｚチャネルにマッピングされてよく、データは送信ＳＴＡによって送信されてよい。受信ＳＴＡの受信機において、８０＋８０構成に関する上記動作は逆にされてよく、組み合わされたデータは媒体アクセス制御（ＭＡＣ）に送られてよい。
【００４４】
８０２．１１ａｆおよび８０２．１１ａｈによってサブ１ＧＨｚ動作モードがサポートされている。８０２．１１ａｆおよび８０２．１１ａｈでは、チャネル動作帯域幅およびキャリアが、８０２．１１ｎおよび８０２．１１ａｃで使用されるものに比べて低減される。８０２．１１ａｆは、ＴＶホワイトスペース（ＴＶＷＳ）スペクトルにおける５ＭＨｚ、１０ＭＨｚおよび２０ＭＨｚ帯域幅をサポートし、８０２．１１ａｈは、非ＴＶＷＳスペクトルを使用して１ＭＨｚ、２ＭＨｚ、４ＭＨｚ、８ＭＨｚおよび１６ＭＨｚ帯域幅をサポートする。代表的実施形態によれば、８０２．１１ａｈは、マクロカバレッジエリアにおけるＭＴＣデバイスなどのメータタイプ制御／マシンタイプ通信（ＭＴＣ）をサポートすることができる。ＭＴＣデバイスは、特定の能力、例えば、特定の帯域幅および／または限定された帯域幅のサポート（例えば、その帯域幅のみのサポート）を含む限定された能力を有し得る。ＭＴＣデバイスは、閾値を上回るバッテリ寿命を有する（例えば、非常に長いバッテリ寿命を保つ）バッテリを含むことができる。
【００４５】
８０２．１１ｎ、８０２．１１ａｃ、８０２．１１ａｆおよび８０２．１１ａｈなどの、マルチチャネル並びにチャネル帯域幅をサポートすることができるＷＬＡＮシステムは、一次チャネルとして指定されることができるチャネルを含む。一次チャネルは、ＢＳＳにおける全てのＳＴＡによってサポートされる最大の共通の動作帯域幅に等しい帯域幅を有することができる。一次チャネルの帯域幅は、ＢＳＳにおいて動作する全てのＳＴＡの中から最小帯域幅動作モードをサポートするＳＴＡによって設定および／または限定され得る。８０２．１１ａｈの例では、ＡＰおよびＢＳＳにおける他のＳＴＡが２ＭＨｚ、４ＭＨｚ、８ＭＨｚ、１６ＭＨｚおよび／または他のチャネル帯域幅動作モードをサポートする場合でも、一次チャネルは、１ＭＨｚモードをサポートする（例えば、１ＭＨｚモードのみサポートする）ＳＴＡ（例えばＭＴＣタイプデバイス）に対する１ＭＨｚの幅でよい。キャリア検知および／またはネットワーク割り当てベクトル（ＮＡＶ）設定は、一次チャネルの状態に依拠し得る。一次チャネルが、例えばＡＰに送信している（１ＭＨｚ動作モードのみサポートする）ＳＴＡのために、ビジーである場合、周波数帯の大部分がアイドル状態のままで利用可能であり得ても、利用可能な周波数帯全体がビジーであるとみなされ得る。
【００４６】
米国では、８０２．１１ａｈによって使用されてよい利用可能な周波数帯は９０２ＭＨｚから９２８ＭＨｚである。韓国では、利用可能な周波数帯は９１７．５ＭＨｚから９２３．５ＭＨｚである。日本では、利用可能な周波数帯は９１６．５ＭＨｚから９２７．５ＭＨｚである。８０２．１１ａｈに利用可能な全帯域幅は、国コードに応じて６ＭＨｚから２６ＭＨｚである。
【００４７】
図１Ｄは、実施形態によるＲＡＮ１１３およびＣＮ１１５を示すシステム図である。上記されたように、ＲＡＮ１１３は、ＮＲ無線技術を採用して、エアインターフェース１１６を介してＷＴＲＵ１０２ａ、１０２ｂ、１０２ｃと通信することができる。ＲＡＮ１１３は、ＣＮ１１５と通信することもできる。
【００４８】
ＲＡＮ１１３は、ｇＮＢ１８０ａ、１８０ｂ、１８０ｃを含むことができるが、ＲＡＮ１１３は、実施形態との整合性を保ちながら、任意の数のｇＮＢを含み得ることが理解されよう。ｇＮＢ１８０ａ、１８０ｂ、１８０ｃはそれぞれ、エアインターフェース１１６を介してＷＴＲＵ１０２ａ、１０２ｂ、１０２ｃと通信するための１つまたは複数のトランシーバを含むことができる。一実施形態では、ｇＮＢ１８０ａ、１８０ｂ、１８０ｃは、ＭＩＭＯ技術を実装することができる。例えば、ｇＮＢ１８０ａ、１８０ｂは、ビームフォーミングを利用して、ｇＮＢ１８０ａ、１８０ｂ、１８０ｃへ信号を送信し、および／またはｇＮＢ１８０ａ、１８０ｂ、１８０ｃから信号を受信することができる。従って、ｇＮＢ１８０ａは、例えば、複数のアンテナを使用して、ＷＴＲＵ１０２ａに無線信号を送信すること、および／またはＷＴＲＵ１０２ａから無線信号を受信することができる。実施形態において、ｇＮＢ１８０ａ、１８０ｂ、１８０ｃは、キャリアアグリゲーション技術を実装することができる。例えば、ｇＮＢ１８０ａは、複数のコンポーネントキャリアをＷＴＲＵ１０２ａ（図示せず）に送信することができる。これらのコンポーネントキャリアのサブセットは、認可されていないスペクトル上にあってよく、残りのコンポーネントキャリアは、認可されたスペクトル上にあってよい。実施形態において、ｇＮＢ１８０ａ、１８０ｂ、１８０ｃは、協調マルチポイント（ＣｏＭＰ）技術を実装することができる。例えば、ＷＴＲＵ１０２ａは、ｇＮＢ１８０ａおよびｇＮＢ１８０ｂ（および／またはｇＮＢ１８０ｃ）から協調された送信を受信することができる。
【００４９】
ＷＴＲＵ１０２ａ、１０２ｂ、１０２ｃは、スケーラブルヌメロロジ（scalable numerology）に関連付けられた送信を使用して、ｇＮＢ１８０ａ、１８０ｂ、１８０ｃと通信することができる。例えば、ＯＦＤＭシンボル間隔および／またはＯＦＤＭサブキャリア間隔は、異なる送信、異なるセルおよび／または無線送信スペクトルの異なる部分に応じて変わり得る。ＷＴＲＵ１０２ａ、１０２ｂ、１０２ｃは、様々またはスケーラブルな長さのサブフレームまたは送信時間間隔（ＴＴＩ）（例えば、変化する数のＯＦＤＭシンボルを含む、および／または変化する長さの絶対時間持続する）を使用して、ｇＮＢ１８０ａ、１８０ｂ、１８０ｃと通信することができる。
【００５０】
ｇＮＢ１８０ａ、１８０ｂ、１８０ｃは、スタンドアロン構成および／または非スタンドアロン構成でＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（例えば、ｅＮｏｄｅ−Ｂ１６０ａ、１６０ｂ、１６０ｃなど）にもアクセスすることなく、ｇＮＢ１８０ａ、１８０ｂ、１８０ｃと通信することができる。スタンドアロン構成では、ＷＴＲＵ１０２ａ、１０２ｂ、１０２ｃは、モビリティアンカポイントとしてｇＮＢ１８０ａ、１８０ｂ、１８０ｃのうちの１つまたは複数を利用することができる。スタンドアロン構成では、ＷＴＲＵ１０２ａ、１０２ｂ、１０２ｃは、認可されていない帯域で信号を使用してｇＮＢ１８０ａ、１８０ｂ、１８０ｃと通信することができる。非スタンドアロン構成では、ＷＴＲＵ１０２ａ、１０２ｂ、１０２ｃは、ｅＮｏｄｅ−Ｂ１６０ａ、１６０ｂ、１６０ｃのような他のＲＡＮとも通信／接続しながら、ｇＮＢ１８０ａ、１８０ｂ、１８０ｃと通信／接続することができる。例えば、ＷＴＲＵ１０２ａ、１０２ｂ、１０２ｃは、ＤＣ原理を実装して、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信することができる。非スタンドアロン構成では、ｅＮｏｄｅ−Ｂ１６０ａ、１６０ｂ、１６０ｃは、ＷＴＲＵ１０２ａ、１０２ｂ、１０２ｃのためのモビリティアンカの役割をすることができ、ｇＮＢ１８０ａ、１８０ｂ、１８０ｃは、ＷＴＲＵ１０２ａ、１０２ｂ、１０２ｃにサービスするための追加のカバレッジおよび／またはスループットを提供することができる。
【００５１】
ｇＮＢ１８０ａ、１８０ｂ、１８０ｃのそれぞれは、特定のセル（図示せず）に関連付けられることが可能であり、無線リソース管理決定、ハンドオーバ決定、ＵＬおよび／またはＤＬにおけるユーザのスケジューリング、ネットワークスライシングのサポート、デュアル接続性、ＮＲとＥ−ＵＴＲＡとの間のインターワーキング、ユーザプレーン機能（ＵＰＦ）１８４ａ、１８４ｂへのユーザプレーンデータのルーティング、アクセスおよびモビリティ管理機能（ＡＭＦ）１８２ａ、１８２ｂへの制御プレーン情報のルーティングなどを処理するように構成され得る。図１Ｄに示されるように、ｇＮＢ１８０ａ、１８０ｂ、１８０ｃは、Ｘｎインターフェースを介して互いに通信することができる。
【００５２】
図１Ｄに示されているＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合によってはデータネットワーク（ＤＮ）１８５ａ、１８５ｂを含むことができる。上記の要素のそれぞれはＣＮ１１５の一部として示されているが、これらの要素のいずれも、ＣＮ事業者以外のエンティティによって所有および／または運用されてもよいことは理解されよう。
【００５３】
ＡＭＦ１８２ａ、１８２ｂは、Ｎ２インターフェースを介してＲＡＮ１１３内のｇＮＢ１８０ａ、１８０ｂ、１８０ｃのうちの１つまたは複数に接続されることが可能であり、制御ノードの役割をすることができる。例えば、ＡＭＦ１８２ａ、１８２ｂは、ＷＴＲＵ１０２ａ、１０２ｂ、１０２ｃのユーザを認証すること、ネットワークスライシングのサポート（例えば、異なる要件を有する異なるＰＤＵセッションの処理）、特定のＳＭＦ１８３ａ、１８３ｂの選択、登録エリアの管理、ＮＡＳシグナリングの終端、モビリティ管理などを担当することができる。ネットワークスライシングは、ＷＴＲＵ１０２ａ、１０２ｂ、１０２ｃによって利用されているサービスのタイプに基づいてＷＴＲＵ１０２ａ、１０２ｂ、１０２ｃに対するＣＮサポートをカスタマイズするために、ＡＭＦ１８２ａ、１８２ｂによって使用され得る。例えば、超高信頼低遅延（ＵＲＬＬＣ）アクセスに依存するサービス、拡張大容量モバイルブロードバンド（ｅＭＢＢ）アクセスに依存するサービス、および／またはマシンタイプ通信（ＭＴＣ）アクセスのためのサービスなどの異なるユースケースに応じて、異なるネットワークスライスが確立され得る。ＡＭＦ１６２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術のような他の無線技術を採用する他のＲＡＮ（図示せず）との間で切り替えるための制御プレーン機能を提供することができる。
【００５４】
ＳＭＦ１８３ａ、１８３ｂは、Ｎ１１インターフェースを介してＣＮ１１５内のＡＭＦ１８２ａ、１８２ｂに接続され得る。ＳＭＦ１８３ａ、１８３ｂは、Ｎ４インターフェースを介してＣＮ１１５内のＵＰＦ１８４ａ、１８４ｂにも接続され得る。ＳＭＦ１８３ａ、１８３ｂは、ＵＰＦ１８４ａ、１８４ｂを選択および制御し、ＵＰＦ１８４ａ、１８４ｂを介するトラフィックのルーティングを構成することができる。ＳＭＦ１８３ａ、１８３ｂは、ＷＴＲＵ  ＩＰアドレスの管理および割り当て、ＰＤＵセッションの管理、ポリシ実施およびＱｏＳの制御、ダウンリンクデータ通知の提供など、他の機能を実行することができる。ＰＤＵセッションタイプは、ＩＰベース、非ＩＰベース、イーサネットベースなどであってよい。
【００５５】
ＵＰＦ１８４ａ、１８４ｂは、Ｎ３インターフェースを介してＲＡＮ１１３内のｇＮＢ１８０ａ、１８０ｂ、１８０ｃのうちの１つまたは複数に接続されてよく、インターネット１１０などのパケット交換ネットワークに対するアクセスをＷＴＲＵ１０２ａ、１０２ｂ、１０２ｃに提供して、ＷＴＲＵ１０２ａ、１０２ｂ、１０２ｃとＩＰ対応のデバイスとの間の通信を容易にすることができる。ＵＰＦ１８４ａ、１８４ｂは、パケットのルーティングおよび転送、ユーザプレーンポリシの実施、マルチホームＰＤＵセッションのサポート、ユーザプレーンＱｏＳの処理、ダウンリンクパケットのバッファリング、モビリティアンカリングの提供など、他の機能を実行することができる。
【００５６】
ＣＮ１１５は、他のネットワークとの通信を容易にすることができる。例えば、ＣＮ１１５は、ＣＮ１１５とＰＳＴＮ１０８との間のインターフェースの役割をするＩＰゲートウェイ（例えば、ＩＰマルチメディアサブシステム（ＩＭＳ）サーバ）を含むことができ、またはＩＰゲートウェイと通信することができる。また、ＣＮ１１５は、他のサービスプロバイダによって所有および／または運用される他の有線および／または無線ネットワークを含み得る他のネットワーク１１２に対するアクセスを、ＷＴＲＵ１０２ａ、１０２ｂ、１０２ｃに提供することができる。一実施形態では、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとローカルデータネットワーク（ＤＮ）１８５ａ、１８５ｂとの間のＮ６インターフェースを介して、ＵＰＦ１８４ａ、１８４ｂを通って、ローカルＤＮ１８５ａ、１８５ｂに接続され得る。
【００５７】
図１Ａ〜図１Ｄおよび図１Ａ〜図１Ｄの対応する説明に鑑みて、ＷＴＲＵ１０２ａ〜ｄ、基地局１１４ａ〜ｂ、ｅＮｏｄｅ−Ｂ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂおよび／または本明細書に説明されている他の任意のデバイスのうちの１つまたは複数に関して本明細書で説明されている機能の１つもしくは複数または全てが、１つまたは複数のエミュレーションデバイス（図示せず）によって実行され得る。エミュレーションデバイスは、本明細書で説明されている機能の１つもしくは複数または全てをエミュレートするように構成された１つまたは複数のデバイスであり得る。例えば、エミュレーションデバイスは、他のデバイスをテストするため、並びに／またはネットワークおよび／もしくはＷＴＲＵ機能をシミュレートするために使用され得る。
【００５８】
エミュレーションデバイスは、ラボ環境および／または事業者ネットワーク環境において他のデバイスの１つまたは複数のテストを実装するように設計され得る。例えば、１つまたは複数のエミュレーションデバイスは、通信ネットワーク内の他のデバイスをテストするために、有線および／または無線通信ネットワークの一部として完全または部分的に実装および／または展開されながら、１つもしくは複数または全ての機能を実行してよい。１つまたは複数のエミュレーションデバイスは、有線および／または無線通信ネットワークの一部として一時的に実装／展開されながら、１つもしくは複数または全ての機能を実行してよい。エミュレーションデバイスは、テストのために別のデバイスに直接結合されてもよく、および／または無線の無線通信を使用してテストを実行してもよい。
【００５９】
１つまたは複数のエミュレーションデバイスは、有線および／または無線通信ネットワークの一部として実装／展開されることなく、全てを含む１つまたは複数の機能を実行してよい。例えば、エミュレーションデバイスは、１つまたは複数のコンポーネントのテストを実装するために、テストラボラトリ並びに／または非配備（例えばテスト）有線および／もしくは無線通信ネットワークにおけるテストシナリオで利用されてよい。１つまたは複数のエミュレーションデバイスは試験装置であってよい。直接ＲＦ結合および／またはＲＦ回路構成を介する無線通信（例えば、１つまたは複数のアンテナを含み得る）が、データを送信および／または受信するためにエミュレーションデバイスによって使用され得る。
【００６０】
一般に、ＬＴＥでは、直交周波数分割多重（ＯＦＤＭ）がダウンリンク（ＤＬ）送信のために使用され得る一方、離散フーリエ変換（ＤＦＴ）−ｓ−ＯＦＤＭがアップリンク（ＵＬ）送信のために使用され得る。従来の巡回プレフィックス（ＣＰ）ＤＦＴ−ｓ−ＯＦＤＭ（場合によっては、複数のアクセスを有するシングルキャリア周波数分割多元接続（ＳＣ−ＦＤＭＡ）と呼ばれる）では、データシンボルがＤＦＴブロックで拡散され、次いで、ＩＤＦＴブロックの対応する入力にマッピングされ得る。ＣＰは、シンボル間干渉（ＩＳＩ）を回避し、受信機において１タップ周波数ドメイン等化（ＦＤＥ）を可能にするために、シンボルの先頭にプリペンドされ得る。
【００６１】
ダウンリンク送信では、参照シンボルが特定のサブキャリアにわたって散乱され得る（すなわち、１つのＯＦＤＭシンボルが、データおよび参照シンボルをロードされたサブキャリアを有することができる）。共通の参照シンボルが、システム帯域幅にわたって分散されたサブキャリア上で送信されてよく、ＷＴＲＵ固有の参照信号が、特定のＷＴＲＵに割り当てられたサブバンド上に分散されてよい。
【００６２】
３ＧＰＰは、Ｎｅｗ  Ｒａｄｉｏ（ＮＲ）と呼ばれる高度な無線通信システムを扱うことができる。ＮＲの用途は、いくつかのカテゴリ、すなわち、拡張モバイルブロードバンド（ｅＭＢＢ）、大規模マシンタイプ通信（ｍＭＴＣ）、および超高信頼低遅延通信（ＵＲＬＬＣ）に集約され得る。各カテゴリ下に、特定の性能要件を求める様々なニーズおよび展開シナリオが考慮される用途の広範なセットがあり得る。例えば、ｍＭＴＣ用途およびＵＲＬＬＣ用途は、自動車から健康、農業、ユーティリティおよび物流産業に及ぶ。
【００６３】
高いデータレート要件を満たすために、６ＧＨｚ周波数を超えるスペクトルが、そのスペクトルの広い帯域幅を活用するために使用され得る。これらの高い周波数を使用することの１つの課題は、より高い周波数では自由空間経路損失がより大きいため、特に屋外環境で大きな伝搬損失があり得ることである。
【００６４】
ビームフォーミング（例えばアナログビーム）は、送信電力を増大することなく経路損失を補償できるので、より高い周波数における大きな経路損失に対処するための解決策であり得る。ビームが経路損失を補償するために使用されるので、全てのダウンリンクチャネルおよびアップリンクチャネルがビームに基づくことがある。
【００６５】
１つの状況では、デバイスツーデバイス（Ｄ２Ｄ）および／または車車間／路車間（Ｖ２Ｘ）通信は、ＬＴＥを採用してよい。サイドリンク送信および／または受信のために、以下の物理チャネル、すなわち、ＳＰＳＳ（sidelink primary sync signal：サイドリンク一次同期信号）および／もしくはＳＳＳＳ（sidelink secondary sync signal：サイドリンク二次同期信号）、ＰＳＢＣＨ（physical sidelink broadcasting channel：物理サイドリンクブロードキャストチャネル）、ＰＳＣＣＨ（physical sidelink control channel：物理サイドリンク制御チャネル）、ＰＳＳＣＨ（physical sidelink shared channel：物理サイドリンク共有チャネル）、並びに／またはＰＳＤＣＨ（physical sidelink shared channel：物理サイドリンク共有チャネル）の１つまたは複数が使用され得る。
【００６６】
サイドリンクは、１つまたは複数のモード（例えば、最大４モード）をサポートすることができる。第１および／または第２のモード（例えば、モード１および／またはモード２）がＤ２Ｄ通信のために使用され得る。Ｄ２Ｄ通信は、電力効率の良い信頼できる送信を必要とすることがある。Ｄ２Ｄ通信は、遅延耐性を有することがあり、および／または低モビリティのために使用されることがある。モード１は、サイドリンク送信のためのｅＮＢスケジューリングに基づいてよく、またはそれを使用してよく、ここで、サイドリンク送信のためのリソースは、ＤＣＩを介してｅＮＢによってスケジュールされ得る。モード２は、構成され得るリソースプール内のＷＴＲＵリソース選択（例えば自律リソース選択）に基づいてよく、またはそれを使用してよい。モード１は、ＷＴＲＵがｅＮＢから制御信号を受信することが可能であるように、サイドリンク送信のためのＷＴＲＵがｅＮＢカバレッジ下またはｅＮＢカバレッジ内に配置されているときに使用され得る。モード２は、サイドリンク送信のためのＷＴＲＵがｅＮＢカバレッジ外にあるとき、および／またはそれらがカバレッジ内にあるときに使用され得る。
【００６７】
第３および／または第４のモード（例えば、モード３および／またはモード４）は、Ｖ２Ｘ通信のために、例えば高モビリティおよび／または低レイテンシをサポートするために使用され得る。モード３は、サイドリンクリソース決定のためにｅＮＢスケジューリングを使用し得る。モード４は、ＷＴＲＵリソース選択（例えば自律リソース選択）を使用し得る。
【００６８】
スケジューリングを使用するモード（例えば、モード１および／またはモード３）の場合、サイドリンクＷＴＲＵは、サイドリンク送信のためのリソースグラントを受け取ることができる。ＷＴＲＵは、Ｕｕインターフェースのために構成された探索空間においてリソースグラントを監視する（例えば、それを求めて監視する）ことができる。
【００６９】
１つまたは複数の実施形態では、物理ダウンリンク共有チャネル（ＰＤＳＣＨ）および／または物理アップリンク共有チャネル（ＰＵＳＣＨ）の復調の前に位相雑音を補償するために位相雑音を測定、追跡および／または推定するために、位相トラッキング参照信号（ＰＴ−ＲＳ）が使用され得る。ＰＴ−ＲＳは、位相雑音参照信号（phase noise reference signal：ＰＮＲＳ）および参照信号（ＲＳ）と交換可能に使用され得る。
【００７０】
ＰＴ−ＲＳは、ＰＤＳＣＨまたはＰＵＳＣＨのためのスケジュールされた帯域幅内で送信され得る。ＰＤＳＣＨまたはＰＵＳＣＨのためのスケジュールされた帯域幅内のＰＴ−ＲＳの送信は、上位レイヤシグナリングを介してｇＮＢなどのノードによってオン／オフされ得る。スケジュールされた帯域幅におけるＰＴ−ＲＳの送信がオンにされた場合、ＰＤＳＣＨまたはＰＵＳＣＨのためのスケジュールされた帯域幅におけるＰＴ−ＲＳの存在および／またはＰＴ−ＲＳの密度（例えば、時間および／または周波数）は、（例えば、スケジュールされた帯域幅および／もしくは物理リソースブロック（ＰＲＢ）としても知られる）リソースブロック（ＲＢ）のスケジュールされた数、スケジュールされたＰＤＳＣＨおよび／もしくはＰＵＳＣＨについて示された変調符号化方式（ＭＣＳ）レベル、ヌメロロジ（例えば、サブキャリア間隔、スロット長など）、ＷＴＲＵ能力（例えば、ＰＴ−ＲＳをサポートするかしないか）、復調に使用され得る復調参照信号（ＤＭ−ＲＳ）密度、スケジュールされたレイヤの数（例えば、ＰＤＳＣＨもしくはＰＵＳＣＨの送信ランク）、並びに／またはＰＵＳＣＨにおけるＵＣＩの存在およびその関連付けられたＵＣＩタイプ（例えば、ＨＡＲＱ−ＡＣＫもしくはＣＳＩ）のうちの１つまたは複数に基づいて決定され得る。
【００７１】
ＰＴ−ＲＳがＰＤＳＣＨまたはＰＵＳＣＨのためのスケジュールされた帯域幅内に存在するとき、スケジュールされたＲＢのサブセットが、ＰＴ−ＲＳを含み、含有し、または送信し得る。ＰＴ−ＲＳ  ＲＢのサブセットは、ＲＢオフセットまたはスケジュールされた帯域幅のうちの１つまたは複数に基づいて決定され得る。
【００７２】
ＲＢオフセットに関して、ＰＴ−ＲＳを有するＲＢのサブセットは、スケジュールされた帯域幅内のＫ個のＲＢ毎に配置されてよく、この場合、ＲＢは、スケジュールされたＲＢが連続するか分散されるかに関わらず、スケジュールされたＲＢ内の最も小さいＲＢインデックスから、より大きいインデックスを有するＲＢまで、インデックス付けされる。ＲＢオフセットは、ＰＴ−ＲＳを含むための開始ＲＢインデックスであり得る。本明細書で論じられているように、ＲＢオフセット、ＰＲＢオフセット、開始ＲＢオフセット、および開始ＲＢインデックスは、交換可能に使用され得る。
【００７３】
スケジュールされた帯域幅に関して、ＰＴ−ＲＳを含み、含有し、または送信し得るＲＢの数が、スケジュールされた帯域幅に基づいて決定され得る。スケジュールされた帯域幅が第１の閾値よりも小さい場合、第１の数のＲＢがＰＴ−ＲＳを含むことができ、スケジュールされた帯域幅が第１の閾値以上であって第２の閾値よりも小さい場合、第２の数のＲＢがＰＴ−ＲＳを含むことができ、以下同様である。サブセットは、全てのスケジュールされたＲＢ（またはＲＢ）がＰＴ−ＲＳを含有し、含み、または送信し得る状況を含んでよい。
【００７４】
ＰＴ−ＲＳがＰＤＳＣＨまたはＰＵＳＣＨのためのスケジュールされた帯域幅内に存在するとき、シンボルのサブセット（例えば、ＣＰ−ＯＦＤＭシンボルまたはＤＦＴ−ｓ−ＯＦＤＭシンボル）は、ＰＴ−ＲＳを含み得る。シンボルにおけるＰＴ−ＲＳの存在は、スケジュールされたＰＤＳＣＨもしくはＰＵＳＣＨのＭＣＳレベル（もしくは変調次数）、シンボルにおけるＤＭ−ＲＳの存在（例えば、シンボルがＤＭ−ＲＳを含む場合、シンボルにおいてＰＴ−ＲＳが送信されないことがある）、および／または１つもしくは複数のスケジューリングパラメータに基づいて決定されたＰＴ−ＲＳ密度、のうちの１つまたは複数に基づいて決定され得る。ＰＴ−ＲＳ密度、時間／周波数位置、および／またはＤＦＴプリコーディングの使用もしくは不使用は、使用される波形に依存し得る。
【００７５】
１つのシナリオでは、ＰＴ−ＲＳは、ＣＰ−ＯＦＤＭ波形が使用される場合にＰＤＳＣＨまたはＰＵＳＣＨ送信のために使用され得る。ＲＢにおける１つまたは複数のサブキャリアがＰＴ−ＲＳ送信のために使用されてよく、ＰＴ−ＲＳ送信のために決定され得る連続したＯＦＤＭシンボルにわたって同じサブキャリア位置が使用されてもよい。
【００７６】
図２は、ＰＴ−ＲＳ時間密度のいくつかの例を示す。３つの例示的グリッド２０２、２０４、および２０６があり、各グリッドの水平軸２０１はＯＦＤＭシンボルとすることができ、垂直軸２０３はサブキャリアである。各例について、リソース要素（ＲＥ）のグリッドがあり、網掛けされたブロックは、ＰＴ−ＲＳを含有するＲＥを表すことができる。左から右に見ると、例２０２では、シンボル（例えば、ＯＦＤＭシンボル）毎に配置されたＰＴ−ＲＳが存在することができ、例２０４では、２個のシンボル毎にＰＴ−ＲＳが存在することができ、および／または例２０６では、４個のシンボル毎にＰＴ−ＲＳが存在することができる。ＰＴ−ＲＳ時間密度は、例えば以下の表１に示されるように、ＭＣＳ閾値に基づいて決定され得る。ＩMCSは、関連付けられたＤＣＩにおいてＰＵＳＣＨまたはＰＤＳＣＨについて使用され、決定され、または示されるＭＣＳレベルであり得る。ＰＴ−ＲＳｔｈＭＣＳ１、ＰＴ−ＲＳｔｈＭＣＳ２、ＰＴ−ＲＳｔｈＭＣＳ３、およびＰＴ−ＲＳｔｈＭＣＳ４は、上位レイヤシグナリングまたはＤＣＩを介して構成され、ＰＴ−ＲＳの時間密度を決定するための閾値として参照され得る。構成または表示がない場合、デフォルト構成（例えば、シンボル毎）が使用されてよい。
【００７７】
【表１】
2021503224.tif 000003
【００７８】
ＣＰ−ＯＦＤＭおよびＤＦＴ−ｓ−ＯＦＤＭに関して、ＰＴ−ＲＳが存在するとき、ＰＴ−ＲＳマッピングパターンは、スロットにおけるＰＤＳＣＨ／ＰＵＳＣＨを含有する第１のシンボルで開始することができ、Ｌ＿｛ＰＴ−ＲＳ｝シンボル毎にマッピングすることができる。ＰＴ−ＲＳマッピングパターンは、ＤＭＲＳを含有する各シンボルで再開始され、ＰＴ−ＲＳを含有するシンボルに関してＬ＿｛ＰＴ−ＲＳ｝シンボル毎にマッピングされ得る。２つの隣接するＤＭＲＳシンボルの場合、ＰＴ−ＲＳパターンは、２つのＤＭＲＳシンボルのうちの２番目を基準として使用して再開始され得る。ＰＴ−ＲＳ時間密度が１未満であるとき、フロントロードされたＤＭＲＳの直後のシンボルおよび追加のＤＭＲＳの直後のシンボルは、それが存在する場合、ＰＴ−ＲＳを含まなくてよい。マッピングパターンに従うＰＴ−ＲＳは、ＰＤＳＣＨ／ＰＵＳＣＨ  ＤＭＲＳを含有するＯＦＤＭシンボルにおいて送信されなくてよい。マッピングパターンに従うＰＴ−ＲＳは、構成された制御チャネルリソースセット（ＣＯＲＥＳＥＴ）と重なるリソース要素（ＲＥ）において送信されなくてよい。
【００７９】
ＰＴ−ＲＳ周波数密度は、以下の表２に示されるようにスケジュールされたＲＢの数に基づいて決定され得る。ＮRBは、スケジュールされたＲＢの数であり得る。ＰＴ−ＲＳｔｈＲＢ０、ＰＴ−ＲＳｔｈＲＢ１、ＰＴ−ＲＳｔｈＲＢ２、ＰＴ−ＲＳｔｈＲＢ３、およびＰＴ−ＲＳｔｈＲＢ４は、ＰＴ−ＲＳの周波数密度を決定するための閾値とすることができ、それは、ＲＲＣシグナリングを介して構成されるか、または関連付けられたＤＣＩで示され得る。構成または表示がない場合は、デフォルト構成（例えば２番目のＲＢ）が使用され得る。
【００８０】
【表２】
2021503224.tif 000004
【００８１】
図３は、ＤＦＴ−ｓ−ＯＦＤＭ波形を生成するためにチャンクベースのｐｒｅ−ＤＦＴ  ＰＴ−ＲＳ挿入が使用され得る例示的プロセスを示す。ＰＴ−ＲＳ入力／出力３２２は、矢印および灰色の網掛けで示され、データ入力／出力３２１は、黒色の矢印で示されている。一般に、ＬＴＥでは、波形を形成するプロセスは、最初にデータシンボル３０２がＤＦＴブロック３０４で拡散され、次いで、ＩＤＦＴブロック３０６の対応する入力にマッピングされることを含むことができる。ＣＰ３０８は、シンボル間干渉（ＩＳＩ）を回避し、受信機において１タップ周波数ドメイン等化（ＦＤＥ）を可能にするために、シンボルの先頭にプリペンドされ得る。
【００８２】
ＰＴ−ＲＳパターン（例えば、チャンクベースのｐｒｅ−ＤＦＴ  ＰＴ−ＲＳパターン）は、チャンク番号（Ｘ）３１０、チャンクサイズ（Ｖ）３１２、およびチャンクの位置に基づいて決定され得る。Ｘ個のＰＴ−ＲＳチャンク３１０、例えばＰＴ−ＲＳチャンク＃１  ３１１などが、ＤＦＴブロック３０４の前に挿入され得る。ＰＴ−ＲＳチャンクおよびデータは、波形を形成するための上述されたものと同じプロセスに沿って進むことになる。チャンクは、トーンから構成され、各チャンクについて、そのサイズはＶ個のＰＴ−ＲＳトーンであり得る。各チャンクについて、ＤＦＴ入力の前にＶ個のＰＴ−ＲＳトーンが存在することができ、図３の例では、チャンクサイズは、ＰＴ−ＲＳチャンク毎に３つの長い点線の矢印で示されるようにＶ＝３であり、これは、ＤＦＴ−Ｓ−ＯＦＤＭシンボル３１３内の結果の波形にも示され、ここで、ＰＴ−ＲＳチャンク＃１  ３１１は最初の３つの網掛けされたブロックにあり、ＰＴ−ＲＳチャンク＃Ｘは最後にある。
【００８３】
ＤＦＴ入力のチャンクの位置は、スケジュールされたＲＢ、チャンクサイズ（Ｖ）３１２、および／またはチャンク番号（Ｘ）３１０に基づいて決定され得る。例えば、Ｖの２つの値であるＶ1およびＶ2が使用されてよく、チャンクの位置は、以下のようにＶ値に基づいて決定され得る：Ｖ＝Ｖ1のとき、ＤＦＴドメインにおけるサンプルがＸ個の区間に分割されてよく、各区間における先頭部（Head）（最初のＶ個のサンプル）、中央部（Middle）（中央のＶ個のサンプル）、または後尾部（Tail）（最後のＶ個のサンプル）にチャンクが配置されてよく、Ｖ＝Ｖ2のとき、ＤＦＴドメインにおけるサンプルはＸ個の区間に分割され、最初の区間では、先頭部（最初のＶ個のサンプル）にチャンクが置かれ、最後の区間では、後尾部（最後のＶ個のサンプル）にチャンクが置かれ、残りの区間では、２つの区間のそれぞれの中央部にチャンクが置かれる。
【００８４】
ＰＴ−ＲＳパターンは、以下の表３に従って、スケジュールされた帯域幅（ＢＷ）に応じてＷＴＲＵが使用すべきＸおよびＶの値を示すＢＷＰ毎の閾値ＮRBn（ｎ＝０，１，２，３，４）のセットを有するスケジュールされたＢＷに基づいて決定され得る。Ｙは、任意の値を表す。一例では、Ｙの値は８であり得る。
【００８５】
【表３】
2021503224.tif 000005
【００８６】
図４は、ノーマル巡回プレフィックス（ＣＰ）を有する信号の図を示す。時間４０１は横軸に示される。本明細書で論じられる任意の図において、時間ドメイン信号図に示される任意の所与のシンボルの各部分は、類似性を示すためのパターンで網掛けされることがある。図示されるように、信号の２つのシンボル（すなわち、ＤＦＴ−ｓ−ＯＦＤＭ、ＯＦＤＭ）であるシンボル４０２およびシンボル４０３があり、それぞれＣＰ４０６およびＣＰ４０７を有する。ノーマルＣＰ動作において、各ＣＰのサイズはＧとしてよく、逆離散フーリエ変換（ＩＤＦＴ）出力は、ＩＤＦＴ出力の最後の部分の複製をプリペンドすることによって拡張されてよい。ＣＰ４０６およびＣＰ４０７は、端部を複製し、それぞれＮ−ＩＤＦＴ出力４０４およびＮ−ＩＤＦＴ出力４０５に続き、最後部分はそれぞれ４１３および４１５であり、それぞれ矢印４１０および４１１によって示される。受信機側において、ＤＦＴ窓の位置は、第１のシンボル上であってよく、後続シンボルからサンプルを取得しなくてよく、各Ｎ−ＩＤＦＴ出力４０４、４０５はそれぞれ、受信機（ＲＸ）ＤＦＴ窓４０８、４０９内であってよい。しかしながら、ＣＰサイズＧが、マルチパスチャネルのタップの数より小さくない場合、受信機はＩＳＩを受ける可能性がある。場合によっては、ノーマルＣＰサイズは十分でないことがある。例えば、通信環境が屋外であるか、またはリンクが非見通し線（ＬＯＳ）経路上で確立された場合、マルチパスチャネルの最大過剰遅延が実質的に増加する可能性がある。これらの場合、ＣＰの持続時間は、チャネルの遅延拡散を扱うのに十分な大きさではないことがあり、この不十分なＣＰサイズは、シンボル間干渉（ＩＳＩ）につながる可能性がある。
【００８７】
図５は、拡張されたＣＰ（例えば仮想ＣＰ）を有する信号の図を示す。時間５０１は横軸に示される。図示されるように、長さ５２３まで拡張され得るＣＰ５０６を有する信号のシンボル５０２がある。Ｎ−ＩＤＦＴ出力５０５およびＣＰ５０７を有する第２のシンボル５０３は、信号全体に関して拡張がどこから来るかについてコンテキストを提供するために示されていることに留意されたい。（仮想ＣＰとしても知られる）ＣＰ拡張は、ＣＰサイズが十分に長くないときに対処するために使用され得る。仮想ＣＰの目標は、ブロックベースのシンボル（例えば、ＤＦＴ−ｓ−ＯＦＤＭ、ＯＦＤＭ）の有効ＣＰ長を増大させて、マルチパスチャネルに対するそれらのロバスト性を増大させることであり得る。図５に示される例では、長さＧのＣＰ５０６は、Ｈ個のサンプルによって合計拡張ＣＰ長５２３まで拡張され得る。ＩＤＦＴのＮ−ＩＤＦＴ出力５０４は、図４に示される例と同様に、Ｎ−ＩＤＦＴ出力５０４の最後部の複製５２２をプリペンドすることによって拡張され得るが、拡張されたＣＰ領域は、ＩＤＦＴ出力の特殊な構造のために同一であるように強制され得る。ＲＸ  ＤＦＴ窓５０８がＨサンプルだけシフトされ得ることにも留意されたい。
【００８８】
この手法は、基本的な受信機動作を変更しなくてよいため、受信機側のハードウェアの複雑さを維持するためにも有利であり得る。仮想ＣＰの別の利点は、干渉なしにシンボルを復号するためにＲＸ  ＤＦＴ窓内のサンプルが連続すべきであるので、２つの後続シンボルが連続するように強制されることにより、低減される帯域外発射（ＯＯＢＥ）であり得る。
【００８９】
図６は、単純なユニークワード（ＵＷ）と巡回プレフィックス（ＣＷ）の組み合わせの例を示す。１つの手法では、ＵＷとＣＰは図示されるように組み合わされてよい。送信（ＴＸ）ブロック図６０１を見ると、ＰＴ−ＲＳ６０２ａおよび６０２ｂが、（ＤMで表される）Ｍ−ＤＦＴ６０４の両端にマッピングされて、出力Ｎ−ＩＤＦＴ６０６（
【００９０】
【数１】
2021503224.tif 000006
【００９１】
によって表され、ここで、（・）Hはエルミート演算子であり、ＦNはＮ−ＤＦＴである）において時間的に先頭部分６１２および後尾部分６１４を生成することができる。参照シンボルにおける特別な設計なしに、持続時間ＧのＣＰ６１１が持続時間Ｔの後尾部６１４よりも短い場合に、示された部分は、ほぼ同一となることができ、拡張されたＣＰ持続時間であるとみなされてよい。
【００９２】
例えば、得られた時間ドメイン信号のフレーム６３０を見ると、長さＧeの拡張されたＣＰ６２０は、前のシンボル６３１i-1の尾部並びに現在のシンボル６３１iのＣＰおよび先頭部分の連結を有することができる。この手法は、仮想／拡張ＣＰ６２０の目標を達成するように見えるが、ＲＸ  ＤＦＴ窓６２１サイズがＮからＮ＋Ｇに変化し、従って、受信機構造が、拡張されたＣＰ受信のために影響されることがあるので、受信機（ＲＸ）は悪影響を受ける可能性があり、望ましくないことがある。また、受信機は、現在のシンボル６３１iの後尾部と次のシンボル６３１i+1のＣＰとの間の移行が、特別な設計なしで連続しないことがあるので、悪影響を受ける可能性があり、従って、６１３などのデータシンボルが干渉され得る。従って、受信機は、データを回復するための余分な動作を行うことが必要な場合があり、理想的でないことがある。
【００９３】
図７は、摂動手法の例を示す。この手法では、各ＯＦＤＭシンボルは、何らかの摂動ベクトルによって、隣接するシンボル間の連続性を実現するために摂動され得る（すなわち、ＣＰ拡張も実現する）。図７に示す例では、提案された手法の送信機図７０１および対応する時間ドメイン信号７３０が、左および右にそれぞれ示されている。本明細書で論じられている他の送信プロセスと同様に、データは、（
【００９４】
【数２】
2021503224.tif 000007
【００９５】
によって表される）ＩＤＦＴブロック７１６に入り、結果として長さＮのシンボルをもたらすことができる。シンボルは、摂動ベクトル生成器ブロック（Perturbation Vector Generator block）７２２を通ることができ、および／または遅延がブロック７２０において導入されてよい。ＣＰは、ブロック７０８で追加され、結果として長さＮ＋Ｇのシンボルをもたらすことができる。
【００９６】
得られる信号７３０は、例として、前のシンボル７３１i-1、現在のシンボル７３１i、および次のシンボル７３１i+1を有することができる。時間ドメイン信号７３０に示される任意の所与のシンボルの各部分は、類似性を示すためのパターンで網掛けされ得ることに留意されたい。さらにまた、３つの
【００９７】
【数３】
2021503224.tif 000008
【００９８】
がそれぞれのシンボルに対して存在する。ｂiは、操作されるべき非摂動信号Ｘiの部分であり得る。要素７６０は、ｂiをａi-1で置き換える摂動ベクトル生成器の出力であり得る。前の摂動されたＯＦＤＭシンボル
【００９９】
【数４】
2021503224.tif 000009
【０１００】
の先頭部は、７３１ａにおいてａi-1として表され得る。前のシンボル（すなわち
【０１０１】
【数５】
2021503224.tif 000010
【０１０２】
）と現在シンボル（
【０１０３】
【数６】
2021503224.tif 000011
【０１０４】
）との間の連続性を維持するために、現在またはｉ番目の摂動されたＯＦＤＭシンボルのＣＰの先頭部も、７３１ｂに示されるようにａi-1であり得る。ＣＰは、シンボル
【０１０５】
【数７】
2021503224.tif 000012
【０１０６】
の最後部分の複製であるので、ベクトル
【０１０７】
【数８】
2021503224.tif 000013
【０１０８】
は、７３１ｂでの後尾部対応位置におけるａi-1を含むことができる。このために、ＩＤＦＴ７０６出力（すなわちＸi）は、ｉ−１番目の摂動されたＯＦＤＭシンボルのａi-1の関数として摂動され得る。
【０１０９】
この手法は、任意のＣＰ持続時間サイズに対し機能し得るが、いくつかの問題も提示し得る。１つの問題は、それが動的方法である（すなわち、摂動がデータの関数である）ので、それは、個々のＯＦＤＭシンボル毎に計算される必要があり得、処理集約的であり得ることであり得る。さらに、それは動的方法であるため、それは参照信号（ＲＳ）と適合しないことがある。別の問題は、摂動信号がＲＳとして使用できないことであり得る。別の問題は、摂動ベクトルが任意の構造に従うので、受信機が余分な動作を行って摂動ベクトルによる干渉の影響を取り除く必要がある場合があることであり得る。
【０１１０】
図８は、ＤＦＴ−ｓ−ＯＦＤＭのための動的手法の例を示す。例示的送信機図８０１および対応する時間ドメイン信号８３０が、図の左および右にそれぞれ見られる。この手法では、ＤＦＴ−ｓ−ＯＦＤＭのシングルキャリア構造が利用されてよく、データシンボルの位置をシフトし、特定のＣＰ長およびＤＦＴ拡散サイズについての特定の規則に基づいて、前および次のＤＦＴ−ｓ−ＯＦＤＭシンボルにおいてそれらを再利用することによって、ＣＰ拡張が実現され得る。本明細書で論じられている他の送信プロセスと同様に、送信機図８０１は、ブロックＤM（ＤＦＴ）８０２、Ｍf８０４、
【０１１１】
【数９】
2021503224.tif 000014
【０１１２】
（ＩＤＦＴ）８０６、およびＣＰ８０８を含むプロセスを、この順序で実行する。Ｍf８０４は、ＤM８０２の出力を
【０１１３】
【数１０】
2021503224.tif 000015
【０１１４】
８０６の入力にマッピングするサブキャリアマッピング動作であり得る。この手法では、ＤＦＴ−ｓ−ＯＦＤＭブロック８０２の入力におけるシンボルＳkは、以下のように順序づけられる：
【０１１５】
【数１１】
2021503224.tif 000016
【０１１６】
ここで、
【０１１７】
【数１２】
2021503224.tif 000017
【０１１８】
は、データシンボルであり、ｋは、ＤＦＴ−ｓ−ＯＦＤＭシンボルインデックスであり、ＣＰ長は、
【０１１９】
【数１３】
2021503224.tif 000018
【０１２０】
に設定されるべきである。
【０１２１】
得られる時間ドメイン信号８３０において、例示として、前のシンボル８３１i-1、現在のシンボル８３１i、および次のシンボル８３１i+1があり得る。時間ドメイン信号８３０に示される任意の所与のシンボルの各部分は、類似性を示すためのパターンで網掛けされ得ることに留意されたい。示されている例では、シンボル８３１iにおいてｋ＝２であるａkの場合、ｂk-1はｂ1であり、送信機図８０１の最初の他の入力について同様である。そしてそれは続くことができ、シンボルにおける各要素について、対応する入力が存在することができ、例えば、ｋ＝２である例をさらに使用して、ｆ  ｓｕｂ  ａ2が現在のシンボル８３１iの先頭部（Ｈ）である。図示されるように、この方法は、拡張されたＣＰ８３３を実現することができ、ＣＰ長（Ｇ）に後尾部（Ｔ）および（Ｈ）を加えると、他端部８３２から取られるＧeをもたらすことを示しており（拡張されたＣＰ８３３および他端部８３２における同様のパターンに留意されたい）、これは、送信機と受信機の両方で複雑な動作なしに実現され得るが、それにもかかわらず、ＣＰサイズＧに望ましくない制約も導入し得る。従って、この手法は、特定のヌメロロジと適合するのみであり得る。この手法の別のあり得る問題は、データシンボルに基づいてＣＰ拡張を生成していることであり得る。従って、この手法は、特定のＰＴ−ＲＳ構造と適合するのみであり得る。
【０１２２】
図９は、ＤＦＴ−ｓ−ＯＦＤＭのための静的手法の例を示す。例示的送信機図９０１および対応する時間ドメイン信号９３０が、図の左および右にそれぞれ見られる。本明細書で論じられている他の送信プロセスと同様に、送信機図９０１は、ブロックＤM（ＤＦＴ）９０２、Ｍf９０４、および
【０１２３】
【数１４】
2021503224.tif 000019
【０１２４】
（ＩＤＦＴ）９０６を含むプロセスを、この順序で実行する。この手法では、ＤＦＴ−ｓ−ＯＦＤＭのシングルキャリア構造が利用されてよく、信号図９０１に示されるＣＰ拡張は、送信機におけるＣＰブロックを用いて、入力データシンボルを、
【０１２５】
【数１５】
2021503224.tif 000020
【０１２６】
として固定されたＲＳで置き換えることによって、実現され得る。
【０１２７】
得られる時間ドメイン信号９３０において、例示として、前のシンボル９３１i-1、現在のシンボル９３１i、および次のシンボル９３１i+1があり得る。時間ドメイン信号９３０に示される任意の所与のシンボルの各部分は、類似性を示すためのパターンで網掛けされ得ることに留意されたい。図８に示された例と同様に、この方法は、拡張されたＣＰ９３３を実現することができ、ＣＰ長（Ｇ）に後尾部（Ｔ）および（Ｈ）を加えると、他端部９３２から取られるＧｅをもたらすことを示す（拡張されたＣＰ９３３および他端部９３２における同様のパターンに留意されたい）。この静的方法は、ＰＴ−ＲＳ設計に対処するが、ＣＰ長が
【０１２８】
【数１６】
2021503224.tif 000021
【０１２９】
に設定されるべきことなどの動的方法の欠点を有することがある。
【０１３０】
図１０は、ＰＴ−ＲＳ周波数密度（Ｋ）が異なる帯域幅スケジュールでどのように働き得るかの例を示す。具体的には、ＰＴ−ＲＳ周波数密度は、ＲＢオフセットが「０」である（すなわち、スケジュールされた第１のＲＢから開始する）とき、スケジュールされたＲＢの数に基づくことができ、以下の閾値：｛ＰＴ−ＲＳｔｈＲＢ０＝２、ＰＴ−ＲＳｔｈＲＢ１＝６、ＰＴ−ＲＳｔｈＲＢ２＝１２、ＰＴ−ＲＳｔｈＲＢ３＝１６｝が構成される。最下部のＲＢインデックス１００１は、任意の所与の構成に関してＰＴ−ＲＳ１０１０がどの数のＲＢにあるかを示す。異なるＰＴ−ＲＳ密度を有する３つの例示的シナリオ、すなわち、ＲＢ毎１０１０（すなわち、Ｋ＝１）、２個のＲＢ毎１０２０（すなわち、Ｋ＝２）、および４個のＲＢ毎１０３０（すなわち、Ｋ＝４）が示される。ＰＴ−ＲＳ周波数密度は、スケジュールされたＲＢの数が大きくなるにつれて線形に増加されないことがある。また、ＰＴ−ＲＳ周波数密度は、ＲＢオフセットに基づいて異なることがある。例えば、ＰＴ−ＲＳの総数は、ＲＢオフセット＝０を有するＷＴＲＵとＲＢオフセット＝１を有する別のＷＴＲＵとで異なり得るが、両方のＷＴＲＵにスケジュールされたＲＢの数は同じであり得る。
【０１３１】
ＲＢオフセット（例えば、開始ＲＢインデックス）は、同時スケジュールされたＷＴＲＵからの（例えば、ＰＴ−ＲＳ間の衝突による）ＰＴ−ＲＳ干渉をランダム化するために使用され得る。ＲＢオフセットは、１つまたは複数のＷＴＲＵ固有パラメータに基づいて決定され得る。１つのそのようなパラメータは、ＷＴＲＵ−ＩＤ（例えば、一時的Ｃ−ＲＮＴＩ、Ｃ−ＲＮＴＩ、ＩＭＳＩ）であってよく、ここで、１つまたは複数のＷＴＲＵ−ＩＤが使用されてよい。例えば、ＷＴＲＵがＲＲＣアイドルモードにあるとき、ＩＭＳＩがＷＴＲＵ−ＩＤとして使用されてよく、ＷＴＲＵがＲＲＣ接続モードにあるとき、Ｃ−ＲＮＴＩが使用されてよい。一時的Ｃ−ＲＮＴＩは、ＲＡＣＨ  ｍｓｇ２、３、および／もしくは４送信／受信のためのＲＢオフセットを決定するために使用されてよく、並びに／またはＣ−ＲＮＴＩは、ＷＴＲＵがＣ−ＲＮＴＩ構成を受信した後に使用されてよい。
【０１３２】
さらに／あるいは、ＲＢオフセットは、スクランブリングＩＤ（例えば、ＤＭ−ＲＳに対して構成されまたは示されたスクランブリングＩＤ）のＷＴＲＵ固有パラメータに基づいて決定されよく、スクランブリングＩＤは、ＷＴＲＵ固有ＲＲＣシグナリングにおいて構成され、またはＰＤＳＣＨもしくはＰＵＳＣＨスケジューリングのための関連付けられたＤＣＩにおいて示されてよい。
【０１３３】
さらに／あるいは、ＲＢオフセットは、セルＩＤ（例えば物理セルＩＤ）のＷＴＲＵ固有パラメータに基づいて決定されてよく、ここで、物理セルＩＤは、初期アクセス手順中に決定され、または同期信号（ＳＳ）から検出されてよい。
【０１３４】
さらに／あるいは、ＲＢオフセットは、ＳＳブロック時間インデックス（例えば、ＳＳ／ＰＢＣＨブロックインデックス）のＷＴＲＵ固有パラメータに基づいて決定されてよく、ＳＳブロックインデックスは、初期アクセス手順中に決定されてよく、本明細書で論じられるように、ＳＳブロックインデックス、ＳＳブロック時間インデックス、ＳＳ／ＰＢＣＨブロックインデックス、ＳＳ／ＰＢＣＨブロック時間インデックスは交換可能に使用され得る。
【０１３５】
さらに／あるいは、ＲＢオフセットは、帯域幅部分（ＢＷＰ）インデックスのＷＴＲＵ固有パラメータに基づいて決定されてよく、例えば、ここで、ＷＴＲＵは、１つまたは複数のＢＷＰを用いて構成されてよく、構成されたＢＷＰのサブセットは、同時にアクティブになり得る。ＰＤＳＣＨまたはＰＵＳＣＨを送信および／または受信するためにＷＴＲＵが構成されまたは示され得るアクティブなＢＷＰインデックスが、ＲＢオフセット値を決定するために使用され得る。本明細書に論じられるように、ＢＷＰとキャリアは交換可能に使用され得る。
【０１３６】
デフォルトのＲＢオフセットは、ＲＲＣ接続セットアップの前に、またはＷＴＲＵがＷＴＲＵ固有パラメータを用いて構成され得る前に使用されてよい。デフォルトのＲＢオフセットは、固定されたＲＢオフセット（例えば、ＲＢオフセット＝０）、および／または１つもしくは複数のセル固有パラメータ（例えば、物理セルＩＤ）に基づいて決定されたＲＢオフセットのうちの少なくとも１つによって決定され得る。
【０１３７】
ＲＢオフセット値を決定するために、最大ＲＢオフセット値が決定、使用、構成、または事前定義され得る。例えば、ＷＴＲＵ−ＩＤがＲＢオフセット値決定のために使用される場合、最大ＲＢオフセット値（ｍａｘ＿ＲＢ＿ｏｆｆｓｅｔ）を用いるＷＴＲＵ−ＩＤのモジュロ（ｍｏｄ）演算が使用され得る（ｍｏｄは除算後のモジュラスを表す）。本明細書で論じられるように、モジュロ演算結果は、剰余を生じ、ＡおよびＢを用いるモジュロ演算は、Ａを被除数とすることができ、Ｂを除数とすることができ、Ａ  Ｍｏｄ  Ｂ、（Ａ）  ｍｏｄ  Ｂ、および／またはｍｏｄ（Ａ，Ｂ）として交換可能に表現され得る。
【０１３８】
例えば、ＲＢオフセット値＝（ｎRNTI）ｍｏｄ  ｍａｘ＿ＲＢ＿ｏｆｆｓｅｔであり、ここで、ｎRNTIは、Ｃ−ＲＮＴＩまたは一時的Ｃ−ＲＮＴＩとしてよく、あるいはｎRNTIは、Ｃ−ＲＮＴＩまたは一時的Ｃ−ＲＮＴＩの最上位ビット（ＭＳＢ）または最下位ビット（ＬＳＢ）としてよい。いずれの場合も、ｍａｘ＿ＲＢ＿ｏｆｆｓｅｔは、最大ＲＢオフセット値としてよい。場合によっては、ｍａｘ＿ＲＢ＿ｏｆｆｓｅｔ値は、スケジュールされたＢＷ（例えば、スケジュールされたＲＢの数）、ＰＴ−ＲＳ周波数密度（例えば、Ｋ個のＲＢ毎に配置されたＰＴ−ＲＳ）、および／またはＷＴＲＵ固有パラメータのうちの１つまたは複数に基づいて暗黙的に決定されてよく、ここで、Ｋは、本明細書で論じられるように、
【０１３９】
【数１７】
2021503224.tif 000022
【０１４０】
と交換可能に使用され得る。場合によっては、暗黙的に決定され得るｍａｘ＿ＲＢ＿ｏｆｆｓｅｔ値は、上位レイヤで構成されたｍａｘ＿ＲＢ＿ｏｆｆｓｅｔ値によってオーバーライドされ得る。
【０１４１】
ＲＢオフセット値は、構成、決定、または使用され得るＲＢオフセットのセットに限定されることがある。さらに、ＲＢオフセットのセットのサブセットが、スケジュールされたＢＷ、周波数密度、および／またはＷＴＲＵ固有パラメータのうちの少なくとも１つに基づいて決定または使用されることがある。ＲＢオフセットは、本明細書に論じられる１つまたは複数の方法で、セット／サブセットに限定され、決定および／または構成されてよい。
【０１４２】
１つの方法では、ＲＢオフセットのセットは、ｍａｘ＿ＲＢ＿ｏｆｆｓｅｔ値に基づいて定義、決定または使用され得る。例えば、ＲＢオフセットのセットは、可能な値の完全なセットを構成することになる｛０，１，…，ｍａｘ＿ＲＢ＿ｏｆｆｓｅｔ｝であり得る。一例では、ｍａｘ＿ＲＢ＿ｏｆｆｓｅｔは、周波数密度Ｋとすることができ、ここで、ｍａｘ＿ＲＢ＿ｏｆｆｓｅｔ＝Ｋであり、ＲＢオフセットのセット｛０，１，…，Ｋ｝を構成することになる。
【０１４３】
別の方法では、ＲＢオフセットのセットおよび／またはサブセットは、スケジュールされた帯域幅ＮRBおよびＰＴ−ＲＳ周波数密度Ｋに基づいて決定され得る。一例では、第１の条件が満たされる場合、第１のサブセットは｛０｝としてよく、ここで、第１の条件は、（ＮRB＋１）ｍｏｄ  Ｋ＝０である。別の例では、第２の条件が満たされる場合、第２のサブセット｛０、１｝が使用されてよく、ここで、第２の条件は、（ＮRB＋２）ｍｏｄ  Ｋ＝０である。別の例では、第３の条件が満たされる場合、ＲＢオフセット｛０，１，…，ｍａｘ＿ＲＢ＿ｏｆｆｓｅｔ｝のセット（すなわち全体）が使用されてよく、ここで、第３の条件は、（ＮRB）ｍｏｄ  Ｋ＝０である。
【０１４４】
別の方法では、ＲＢオフセット値は、ＲＢオフセット値＝（ｎRNTI）ｍｏｄ  ｍａｘ＿ＲＢ＿ｏｆｆｓｅｔ＿Ｓに基づいて決定されてよく、ここで、ｍａｘ＿ＲＢ＿ｏｆｆｓｅｔ＿Ｓは、サブセット内のＲＢオフセット値の数としてよい。
【０１４５】
別の方法では、ＲＢオフセットのセットのサブセットは、上位レイヤシグナリングを介して構成され得る。例えば、ビットマップがＲＢオフセット値のサブセットを示すために使用され得る。
【０１４６】
ＲＢオフセット値を限定するための別の手法では、ＲＢオフセットのセットが値の完全なセット｛０，１，…，ｍａｘ＿ＲＢ＿ｏｆｆｓｅｔ｝であるＲＢオフセットのセットのｍａｘ＿ＲＢ＿ｏｆｆｓｅｔ値は、ＲＢオフセット＝０であるＰＴ−ＲＳを含有する最後のＲＢの後のＰＴ−ＲＳを含有しないＲＢの数に基づいて決定され得る。例えば、図１０に戻って、シナリオ１０３０では、スケジュールされた１６個のＲＢがあり、ここで、最後のＲＢ１２の後の全てのＲＢ（すなわち、ＲＢ１３、１４、および１５）がＰＴ−ＲＳを含有しないので、ｍａｘ＿ＲＢ＿ｏｆｆｓｅｔ値は３とすることができる。シナリオ１０３０に示される別の例では、１５つのＲＢがスケジュールされたとき、それがＰＴ−ＲＳを含有しない１２番目のＲＢの後のＲＢ、ＲＢ１３および１４、の数であるので、ｍａｘ＿ＲＢ＿ｏｆｆｓｅｔ値は２とすることができる。この手法において、１つの方法では、ｍａｘ＿ＲＢ＿ｏｆｆｓｅｔは、ｍａｘ＿ＲＢ＿ｏｆｆｓｅｔ＝Ｋ−ＮRB  ｍｏｄ  Ｋ−１として決定され、ここで、Ｋは、（例えば、ＰＴ−ＲＳがＫ個のＲＢ毎に配置される）周波数密度に基づいて決定されてよく、および／またはＮRBは、スケジュールされたＲＢの数としてよい。別の方法では、ＲＢオフセット値＝（ｎRNTI）ｍｏｄ  ｍａｘ＿ＲＢ＿ｏｆｆｓｅｔである。
【０１４７】
図１１Ａは、スケジュールされたＲＢおよびＰＴ−ＲＳ周波数密度に基づくｍａｘ＿ＲＢ＿ｏｆｆｓｅｔ値決定（または限定／制限）の例を示す。図１０と同様に、網掛けされたブロックは、ＲＢにおけるＰＴ−ＲＳを表すことができる。シナリオ１１２０では、８つのＲＢ、および２個のＲＢ毎のＰＴ−ＲＳ（すなわち、Ｋ＝２）が存在することができ、線１１２１に示されるように、オフセットが０であるとき、ＰＴ−ＲＳの総数は４であり得、線１１２２に示されるように、オフセットが１であるとき、ＰＴ−ＲＳの数はやはり４であり得る。シナリオ１１２０では、ＰＴ−ＲＳ密度が、剰余なしにスケジュールされたＲＢの数に均等に割り（すなわち、ＮRB  ｍｏｄ  Ｋ＝０）、その結果、ｍａｘ＿ＲＢ＿ｏｆｆｓｅｔがＰＴ−ＲＳ密度Ｋ＝２と等しくなり、言い換えれば、Ｋ＝２のとき、ＲＢオフセットは、最初の２つの可能な値になり、ここで、値が０で開始し、値のセットは｛０，１｝となることに留意されたい。より一般的には、これは、ＮRB  ｍｏｄ  Ｋ＝０のとき、ｍａｘ＿ＲＢ＿ｏｆｆｓｅｔ＝Ｋであると記述され得る。
【０１４８】
シナリオ１１１０では、７つのＲＢ、および２個のＲＢ毎に１つであるＰＴ−ＲＳ密度（すなわち、Ｋ＝２）があり得る。ここで、ＰＴ−ＲＳ密度は、スケジュールされたＲＢの数に均等に割らない（すなわち、ＮRB  ｍｏｄ  Ｋ≠０である）ことに留意されたい。結果として、ＲＢオフセットが０であるとき、線１１１１に示されるように、ＰＴ−ＲＳの総数は４であり得、オフセットが１であるとき、合計ＰＴ−ＲＳは３に減少する（すなわち、ＲＢオフセット値がＰＴ−ＲＳの数を限定している）。
【０１４９】
場合によっては、スケジュールされた帯域幅に対するＰＴ−ＲＳの数は、ＷＴＲＵの性能低下を回避するために、同じであることが好ましい。従って、線１１１２に示されるのと同じスケジュールされた帯域幅に対して異なる数のＰＴ−ＲＳが存在する状況は、回避されるのが望ましいことがある。ＰＴ−ＲＳの数が同じままであることを保証するために、ＲＢオフセット値の完全な可能なセット、ｍａｘ＿ＲＢ＿ｏｆｆｓｅｔは、限定される必要があり得る。例えば、ＲＢオフセットが、本明細書で論じられるように、ＷＴＲＵ−ＩＤに基づくことができる（すなわち、ｎRNTI  ｍｏｄ  ｍａｘ＿ＲＢ＿ｏｆｆｓｅｔ）場合、ｍａｘ＿ＲＢ＿ｏｆｆｓｅｔを限定することは、所与の数のスケジュールされたＲＢについてＰＴ−ＲＳの数を同じに維持する能力を可能にすることができる。シナリオ１１２０で示されるように、ＰＴ−ＲＳ密度が、スケジュールされたＲＢの数に均等に割られない（すなわち、ＮRB  ｍｏｄ  Ｋ≠０である）とき、ｍａｘ＿ＲＢ＿ｏｆｆｓｅｔを限定することのみ必要であり得る。１１１０のシナリオでは、ｍａｘ＿ＲＢ＿ｏｆｆｓｅｔは、ＰＴ−ＲＳ密度およびスケジュールされたＲＢの数の関数に限定されることができ、具体的には、ｍａｘ＿ＲＢ＿ｏｆｆｓｅｔは、１に等しくなる７ｍｏｄ２である、スケジュールされたＲＢの数に割られたＰＴ−ＲＳ密度の剰余に限定され得る。上記に論じられたように、１などのｍａｘ＿ＲＢ＿ｏｆｆｓｅｔの数値は、ＲＢオフセット値の限定されたセット（すなわちサブセット）をもたらし、ここで、任意のＲＢオフセット値は０で始まる。次いで、ｍａｘ＿ＲＢ＿ｏｆｆｓｅｔが１に限定される場合、ｍａｘ＿ＲＢ＿ｏｆｆｓｅｔのサブセットは｛０｝となり、これは、ＲＢオフセット値｛０，１｝を有する線１１１２などで示されるような０より大きい任意のＲＢオフセットは、異なる総数のＰＴ−ＲＳをもたらすことを意味する。より一般的には、これは、ＮRB  ｍｏｄ  Ｋ≠０であるときにｍａｘ＿ＲＢ＿ｏｆｆｓｅｔ＝ＮRB  ｍｏｄ  Ｋであると記述され得る。
【０１５０】
図１１Ｂは、図１１Ａに関して論じた、あり得る問題に対処するためにＰＴ−ＲＳ密度Ｋが同じままであることを保証するようにＰＴ−ＲＳ送信を送る例示的プロセスを示す。第１のステップ１１５１で、ＰＴ−ＲＳ密度ＫおよびスケジュールされたＲＢの数ＮRBが決定され得る。１つのケースでは、ＷＴＲＵなどのデバイスが、スケジュールされた特定の帯域幅を有することができる（すなわち、制御情報が制御チャネル上で受信される）。ＷＴＲＵは、スケジュールされた帯域幅に基づいて、ＰＴ−ＲＳ密度Ｋを決定することができる。ステップ１１５２において、ＰＴ−ＲＳ密度Ｋが、スケジュールされたＲＢの数ＮRBに均等に割る場合、ステップ１１５２でｍａｘ＿ＲＢ＿ｏｆｆｓｅｔはＰＴ−ＲＳ密度に等しくすることができ、またはそうでない場合、ｍａｘ＿ＲＢ＿ｏｆｆｓｅｔは、ＰＴ−ＲＳ密度およびスケジュールされたＲＢの数の関数とすることができる。ステップ１１５４で、ＲＢオフセット値は、ステップ１１５３の結果に応じて決定され得る。ステップ１１５５では、ＲＢオフセットが決定された後、この情報は、ＰＴ−ＲＳを有する送信を送信および／または受信するために使用され得る。
【０１５１】
ＲＢオフセット値を限定するための別の手法では、ｍａｘ＿ＲＢ＿ｏｆｆｓｅｔ値がＫよりも小さい場合に、ＲＢオフセット値の制限／限定されたセットとの干渉をランダム化するために適用される１つまたは複数の方法があり得る。この手法に従うことが可能な１つまたは複数の方法があり得る。
【０１５２】
１つの方法では、ＲＢ内のＰＴ−ＲＳのＲＥ位置またはサブフレーム位置が、１つまたは複数のＷＴＲＵ固有パラメータに基づいて決定され得る。例えば、ＲＢオフセット値が制限／限定された場合、ＲＢ内のＰＴ−ＲＳのＲＥ位置は、ＷＴＲＵ固有パラメータで決定されてよく、ＲＢオフセット値が制限／限定されない（例えば、ｍａｘ＿ＲＢ＿ｏｆｆｓｅｔ＝Ｋ）とき、ＲＢ内のＰＴ−ＲＳのＲＥ位置は、非ＷＴＲＵ固有パラメータ（例えば、固定された、事前定義された、セル固有パラメータ）に基づいて決定され得る。
【０１５３】
別の方法では、ＰＴ−ＲＳスクランブリングシーケンスが、１つまたは複数のＷＴＲＵ固有パラメータに基づいて決定され得る。例えば、ＲＢオフセット値が制限されないとき、ＰＴ−ＲＳスクランブリングシーケンスが１つまたは複数の非ＷＴＲＵ固有パラメータに基づいて初期化されてよく、ＲＢオフセット値が制限されたとき、ＰＴ−ＲＳスクランブリングシーケンスが１つまたは複数のＷＴＲＵ固有パラメータに基づいて初期化されてよい。
【０１５４】
別の方法では、ＰＴ−ＲＳ時間位置（例えば、開始シンボルインデックス）が、１つまたは複数のＷＴＲＵ固有パラメータに基づいて決定され得る。例えば、ＲＢオフセット値が制限されないとき、第１のシンボルインデックスがＰＴ−ＲＳ送信の開始シンボルとして使用されてよく、ＲＢオフセット値が制限されたとき、第２シンボルインデックスがＰＴ−ＲＳ送信の開始シンボルとして使用されてよい。第１のシンボルインデックスは、固定、構成、および／または事前定義されてよく、第２のシンボルインデックスは、１つまたは複数のＷＴＲＵ固有パラメータに基づいて決定されてよい。
【０１５５】
図１２は、ＰＴ−ＲＳを含有する巡回シフトＲＢの例を示す。この手法では、ＲＢオフセットのセットが、セット｛０，１，…，ｍａｘ＿ＲＢ＿ｏｆｆｓｅｔ｝で定義、決定、または使用されてよく、ここで、ｍａｘ＿ＲＢ＿ｏｆｆｓｅｔは、Ｋ（例えばＰＴ−ＲＳ密度）としてよく、ＰＴ−ＲＳを含有するＲＢが、ＲＢオフセット値に基づいて巡回シフトされてよい。従って、ＰＴ−ＲＳを含有するＲＢの数は、ＲＢオフセット値に関係なく同じであり得る。シナリオ１２１０は、２個のＲＢ毎にＰＴ−ＲＳを有する７つのＲＢを含むスロットのいくつかの例を示す。一例１２１１では、ＰＴ−ＲＳを含有するＲＢは、均等に分散されてよく、ここで、ＲＢオフセットは０であり、結果として４のＰＴ−ＲＳ密度をもたらす。別の例１２１２では、ＲＢオフセットは１としてよく、ＰＴ−ＲＳを含有するＲＢは、均等に分散されなくてよく、ここで、１つのＰＴ−ＲＳ  ＲＢ１２０２はシフトされていて、別のＰＴ−ＲＳ  ＲＢに隣接しているが、ＰＴ−ＲＳ密度はやはり４である。さらに、巡回シフト値は、１つまたは複数のＷＴＲＵ固有のパラメータに基づいて決定され得る。例えば、ＲＢオフセット値によってＲＢに割り当てられないＰＴ−ＲＳは、ＰＴ−ＲＳを含有しないＲＢのうちの１つに配置されてよく、ここで、ＲＢ位置は、ＷＴＲＵ−ＩＤ（例えば、Ｃ−ＲＮＴＩ）に基づいて決定されてよい。
【０１５６】
場合によっては、ＰＴ−ＲＳを含有するＲＢの参照位置は、ＲＢオフセット＝０に基づいてよく、ここで、ＰＴ−ＲＳを含有するＲＢの数は、決定されたＲＢオフセット値に関係なくＲＢオフセット＝０の場合と同じでよく、ＰＴ−ＲＳ密度は４であり得る。
【０１５７】
１つの手法では、ＲＢオフセットについてＰＴ−ＲＳに使用されるＲＢの数が基準ＲＢオフセットのためのそれよりも小さいときに、パワーブースティングＰＴ−ＲＳが使用され得る。例えば、参照ＲＢオフセットは、ＲＢオフセット＝０で定義、構成、または使用されてよく、ＰＴ−ＲＳに使用されるＲＢの数は、ＲＢオフセット＝０のときにＫpであり得る。特定のＲＢオフセットに対するＰＴ−ＲＳに使用されるＲＢの数がＫpよりも小さい場合、ＰＴ−ＲＳのパワーブースティングが使用され得る。この手法では、ＰＴ−ＲＳを含有するＲＢの数が第１のＲＢオフセット値に関してＫpと同じとき、第１のパワーレベルがＰＴ−ＲＳのために使用されてよく、ＰＴ−ＲＳを含有するＲＢの数が第２のＲＢオフセット値に関してＫpよりも小さいとき、（第１のパワーレベルよりも高い）第２のパワーレベルがＰＴ−ＲＳのために使用されてよい。第２のパワーレベルは、特定のＲＢオフセット値についてのＰＴ−ＲＳを含有するＲＢの数とＫpとの間の比に基づいて決定され得る。
【０１５８】
またこの手法では、コンスタレーションポイントがオフセット値に相関されてよく、ＰＴ−ＲＳを含有するＲＢの数が第１のＲＢオフセット値に関してＫpと同じとき、第１のコンスタレーションポイント（例えばＱＰＳＫコンスタレーション）がＰＴ−ＲＳシーケンスのために使用されてよく、ＰＴ−ＲＳを含有するＲＢの数が第２のＲＢオフセット値に関してＫpよりも小さいとき、第２のコンスタレーションポイント（例えば、１６ＱＡＭ、６４ＱＡＭ、または２５６ＱＡＭの最外コンスタレーションポイント）が使用されてよい。最外コンスタレーションポイントについての変調次数（例えば１６ＱＡＭ、６４ＱＡＭ、または２５６ＱＡＭ）は、特定のＲＢオフセット値についてのＰＴ−ＲＳを含有するＲＢの数（Ｋa）とＫpとの間の比に基づいて決定され得る。例えば、Ｋa／Ｋpが事前定義された閾値よりも大きい場合、第１の変調次数（例えば１６ＱＡＭ）が使用されてよく、Ｋa／Ｋpが事前定義された閾値よりも小さい場合、第２の変調次数（例えば６４ＱＡＭ）が使用されてよい。最外コンスタレーションポイントについての変調次数は、関連付けられたデータチャネル（例えば、ＰＤＳＣＨまたはＰＵＳＣＨ）について示され、決定され、またはスケジュールされた変調次数に基づいて決定され得る。
【０１５９】
１つのシナリオでは、ＰＴ−ＲＳをデフォルトのＲＢ位置から、デフォルトのＲＢ位置から離れた固定数のＲＢのような異なるＲＢへシフトさせて、同じＲＢ位置におけるＰＴ−ＲＳの他の送信機からのセル内またはセル間干渉源を回避するために、ＲＢオフセット値が使用され得る。重大なＰＴ−ＲＳベースの干渉が存在する場合、干渉レベルを回避または低減するためにＰＴ−ＲＳ密度の時間および周波数が修正または変更され得る。例えば、以下の表４は、両方の送信機がＰＴ−ＲＳ時間密度＝１を使用する（例えば、シンボル毎にＰＴ−ＲＳが送信される）ことを仮定して、あり得るＲＢオフセットおよびＰＴ−ＲＳ周波数密度の組み合わせを示す。
【０１６０】
【表４】
2021503224.tif 000023
【０１６１】
このシナリオの場合、１つまたは複数の干渉源（例えば、同時スケジュールされたＷＴＲＵまたは隣接セル）の周波数密度は、上位レイヤシグナリングまたはＬ１シグナリング（例えばＤＣＩ）を介してＷＴＲＵに示され得る。ＷＴＲＵへのこの表示のために、１つまたは複数の手法が適用可能であり得る。
【０１６２】
１つの手法では、ＷＴＲＵは、データスケジューリングのための関連付けられたＤＣＩにおける干渉ＰＴ−ＲＳの周波数密度を受信することができ、ＷＴＲＵのためのＰＴ−ＲＳ密度（例えば、サービングＰＴ−ＲＳ時間および／または周波数密度）は、干渉ＰＴ−ＲＳの周波数密度に基づいて決定され得る。干渉ＰＴ−ＲＳ密度が増大される場合、サービングＰＴ−ＲＳ密度も増大され得る。あるいは、干渉ＰＴ−ＲＳ密度が増大される場合、サービングＰＴ−ＲＳ密度は低減され得る。
【０１６３】
別の手法では、ＲＢオフセット値のセットは、干渉ＰＴ−ＲＳ密度に基づいて限定され得る。例えば、干渉ＰＴ−ＲＳ密度がより低い場合、ＲＢオフセット値のより小さいセットが使用されてよく、干渉ＰＴ−ＲＳ密度がより高い場合、ＲＢオフセット値のより大きいセットが使用されてよい。さらなる例では、干渉ＰＴ−ＲＳ密度が低い場合（例えば１）、ＲＢオフセット値の第１のサブセット（例えば｛０｝）が使用されてよく、干渉ＰＴ−ＲＳ密度が中位の場合（例えば２）、ＲＢオフセット値の第２のサブセット（例えば｛０，１｝）が使用されてよく、干渉ＰＴ−ＲＳ密度が高い場合（例えば４）、ＲＢオフセット値の第３のサブセット（例えば｛０，１，２，３｝）が使用されてよい。
【０１６４】
別の手法では、ＲＢオフセット値のセットは、干渉ＰＴ−ＲＳ密度およびサービングＰＴ−ＲＳ密度に基づいて限定され得る。
【０１６５】
ＲＢオフセットのための同様のオプションが、送信機のいずれか１つがＰＴ−ＲＳ時間密度＜１を使用する場合に可能であり得る（例えば、ＯＦＤＭシンボルオフセット）。また、ＯＦＤＭシンボルオフセットは、ＰＴ−ＲＳに対するＤＭ−ＲＳベースの干渉を処理するために必要とされ得る。別の可能性として、ＲＢ内のＰＴ−ＲＳのためのサブキャリアオフセットを使用することがある。
【０１６６】
図１３は、異なるＲＢオフセット値を有する７つのＲＢに関するＰＴ−ＲＳマッピングの例を示す。この手法では、ＲＢオフセットは、Ｃ−ＲＮＴＩおよび／またはサブフレーム／スロット番号もしくはインデックスに基づいて決定され得る。見通しのため、図２に戻ると、
【０１６７】
【数１８】
2021503224.tif 000024
【０１６８】
、および４ＲＢの異なるＰＴ−ＲＳ密度を有するＰＴ−ＲＳマッピングが示されており、スケジュールされた開始ＲＢ位置にＰＴ−ＲＳがあるため、最初のインデックスにＰＴ−ＲＳ  ＲＢがあるので、ＲＢオフセットは０と仮定され得る。従って、
【０１６９】
【数１９】
2021503224.tif 000025
【０１７０】
である任意の構成において、スロット当たりのＰＴ−ＲＳ密度は、ＲＢオフセット値に基づいて変化し得る。ここで、図１３に示される例を見ると、ＰＴ−ＲＳマッピングが存在し、それぞれＮRB＝７ＲＢであり、それぞれ異なるＲＢオフセット値を有し、シナリオ１３１０では０ＲＢ、シナリオ１３２０では１ＲＢである。シナリオ１３１０では、２個のＲＢ毎のＲＢがあり、ＲＢオフセットは０とすることができ、その結果、ＰＴ−ＲＳ密度は４とすることができ、シナリオ１３２０では、２個のＲＢ毎のＲＢがあり、ＲＢオフセットは１とすることができ、その結果、ＰＴ−ＲＳ密度は３とすることができる。示されているように、ＲＢオフセット＝１を有する構成では、ＰＴ−ＲＳの総数は、ＲＢオフセット＝０の場合よりも小さくなり、何らかの性能低下をもたらす可能性がある。
【０１７１】
図１４は、異なるＲＢ幅のスケジュールを有するＰＴ−ＲＳマッピングの例を示す。シナリオ１４１０では、２個のＲＢ毎にＰＴ−ＲＳを有する７つのＲＢが存在することができ、その結果、密度は４となる。シナリオ１４２０では、４個のＲＢ毎にＰＴ−ＲＳを有する１３個のＲＢが存在することができ、その結果、密度は４となり、このような構成は、スケジューリングがそのように拡散されるので、性能にさらに大きな影響を及ぼすことができる。
【０１７２】
図１５は、７個の動的ＲＢオフセット値に関する例示的ＰＴ−ＲＳマッピングを示す。この手法では、送信の持続時間にわたってＰＴ−ＲＳの等しい平均を有するように、ＲＢオフセットが、時間インデックスに基づいて動的に調整または決定され得る。シナリオ１５１０では、２個のＲＢ毎にＰＴ−ＲＳを有する７つのＲＢが存在することができる。時間インデックスは、フレーム番号（ｎFrame）、スロット番号（ｎSlot）、またはシンボル番号（ｎSym）のうちの少なくとも１つであり得る。例えば、最初のＲＢオフセットは、Ｃ−ＲＮＴＩに基づいて決定されてよく、追加のＲＢオフセットは、ｎSlotに基づいて適用されてよく、ここで、ｎSlotは、現在の送信に対応するスロット番号である。シナリオ１５１０は、奇数／偶数スロット番号に基づいてオフセット値を設定することに基づく例示的な実装を示し、その結果、ＲＢオフセット値を交互に変えるスロットでの各インクリメント（すなわち、スロットｎ，スロットｎ＋１，スロットｎ＋２，…，スロットｎ＋ｋ）をもたらし、これはＰＴ−ＲＳ密度にも影響する（すなわち、０および１のオフセット値にそれぞれ基づいて、密度が４と３の間で交互に変わる）。スロット番号は、無線フレーム内のスロット番号、または絶対番号であってもよい。代替的例では、ＲＢオフセット値は、Ｃ−ＲＮＴＩおよび時間インデックスなどに基づいて共同で定義され得る。別の例では、ＲＢオフセット調整は、不均等な分布を示す構成にのみ適用されてよく、またはオフセット値の影響に関わらず全ての構成に普遍的に適用されてもよい。
【０１７３】
図１６は、スロット当たり１３個のＰＲに関する、動的ＲＢオフセット値を有するＰＴ−ＲＳマッピングの例を示す。この場合、ＲＢオフセット値は、周波数選択性フェージングの影響に対抗するように、時間インデックスに基づいて動的に調整され得る。従って、ＰＴ−ＲＳ密度の影響に関わらず、ＲＢオフセットは、全ての構成について長いフェージングの経験を回避するように動的に変更され得る。シナリオ１６１０は、各スロットに１３個のＲＢを示し、４個毎にＰＴ−ＲＳ  ＲＢを有する（すなわち、
【０１７４】
【数２０】
2021503224.tif 000026
【０１７５】
）。時間インデックスは、ｎFrame、
【０１７６】
【数２１】
2021503224.tif 000027
【０１７７】
、ｎSlot、もしくはｎSymなど、またはこれらの組み合わせに基づくことができる。例えば、最初のＲＢオフセットは、Ｃ−ＲＮＴＩに基づいて決定されてよく、次いで、追加のＲＢオフセットは、スロット毎に、またはスロット番号に基づいて、ＰＴ−ＲＳ  ＲＢの位置をシフトするように適用されてよい。ＲＢオフセットは、ｎSlotおよび
【０１７８】
【数２２】
2021503224.tif 000028
【０１７９】
に基づいて決定されてよく、ここで、追加のオフセットは、
【０１８０】
【数２３】
2021503224.tif 000029
【０１８１】
として定義され得る。示されるように、ＲＢオフセットはスロット番号毎に増加し、従って、スロットｎでＲＢオフセットは０であり、スロットｎ＋１でオフセットは１であり、スロットｎ＋２でＲＢオフセットは２であり、スロットｎ＋３でＲＢオフセットは３である。ＲＢオフセットが３になった後、次のスロットｎ＋４では、ＰＴ−ＲＳ密度は４にすぎないため、ＲＢオフセットは０に戻ることになり、この例では想定されない少なくとも５のＰＴ−ＲＳ密度を有することなしには、４のＲＢオフセットを有することはできないことに留意されたい。
【０１８２】
実施形態において、ＰＴ−ＲＳ密度は、周波数リソース割り当てタイプに依存し得る。場合によっては、変調された情報シンボルが、送信前に時間および周波数リソースにマッピングされることがある。複数の情報シンボルが、離散的な連続した時間および周波数ブロックにマッピングされることもある。ＬＴＥおよびＮＲでは、変調された情報シンボルは、リソース要素（ＲＥ）と呼ばれる時間および周波数ユニットにマッピングされることがある。ＲＥは、１つのＯＦＤＭシンボルにおいて１つのサブキャリアを含むことがある。ブロックＲＥは、１２個の連続したサブキャリア（すなわち周波数）×７個のＯＦＤＭシンボルを含む（すなわち、スロットがＲＢを含むことができる）。個々または複数のＲＢが時間および周波数で連続的または非連続的にマッピングされるとき、それらは、それぞれ局所化リソース割り当てタイプまたは分散化リソース割り当てタイプを有すると考えられる。ＰＴ−ＲＳは、局所化または分散化リソース割り当てタイプを有することができる割り当てられたＲＢ内にマッピングされ得るので、時間および周波数におけるＰＴ−ＲＳ密度は、そのタイプに依存し得る。従って、少なくともいくつかの状況では、局所化リソース割り当てタイプが使用されるか分散化リソース割り当てタイプが使用されるかにも依存するＰＴ−ＲＳ時間および周波数密度を構成する必要がある。
【０１８３】
図１７は、シンボル位置に基づくＰＴ−ＲＳ周波数位置の例を示す。図２と同様に、横軸１７０４はシンボル（すなわちＯＦＤＭ）であり、縦軸１７０５はサブキャリアである。ＮＲリソース割り当てタイプ０および１が、局所化された割り当てまたは分散化された割り当てが必要とされることを示すかに関わらず、ＰＴ−ＲＳ時間および周波数密度は維持され得る。ＲＢが送信間隔中に時間的に分散される場合、局所化された割り当てに適用できる場合もあるＰＴ−ＲＳ時間密度が、図１７に示されるように各時間領域に別個に適用され得る。ＲＢが送信間隔中に周波数で分散される場合、局所化された割り当てに適用できる場合もあるＰＴ−ＲＳ周波数密度が、連続的に割り当てられたリソースブロックまたはリソースブロックグループ（ＲＢＧ）の各周波数領域に別個に（すなわち、使用されるキャリア帯域幅部分について）適用され得る。例１７０１では、何ら変化を示さないシンボル毎のＰＴ−ＲＳが存在することができる。例１７０２では、１つおきのシンボル（すなわち、２個のシンボル毎）というＰＴ−ＲＳ密度が存在することができ、途中１７１２から始まる異なる周波数領域に起因して周波数が変化したときに再開始することができる。例１７０３では、４個のシンボル毎にＰＴ−ＲＳシンボルが存在することができ、途中１７１３から始まる異なる周波数領域に起因して周波数が変化したときに再開始することができる。
【０１８４】
図１８は、ＲＢＧに基づくＰＴ−ＲＳ周波数密度の例を示す。周波数密度は、構成または決定されているＲＢＧサイズに基づいて決定されてよく、図１８のシナリオ毎に異なるＲＢＧが存在することができる。シナリオ１８１０では、ＲＢ毎にＰＴ−ＲＳが存在し、ＲＢ毎という密度を有することができる。シナリオ１８２０では、異なるＲＢＧが存在し、２個のＲＢ毎という異なる密度を有することができる。シナリオ１８３０では、さらに異なるＲＢＧが存在し、４個のＲＢ毎という異なる密度を有することができる。
【０１８５】
実施形態において、ＰＴ−ＲＳを含有するＲＢ内のＰＴ−ＲＳのＲＥ位置（例えば、サブキャリア位置、ＲＥオフセット）は、物理セルＩＤ、ＷＴＲＵ−ＩＤ（例えばＣ−ＲＮＴＩ、一時的Ｃ−ＲＮＴＩ、またはＩＭＳＩ）、ＰＴ−ＲＳの周波数密度、ＰＴ−ＲＳの時間密度、およびｍａｘ＿ＲＢ＿ｏｆｆｓｅｔ値のうちの少なくとも１つに基づいて決定され得る。例えば、ｍａｘ＿ＲＢ＿ｏｆｆｓｅｔ値が第１の値（例えば、０）である場合、ＲＥ位置（またはＲＥオフセット）はＷＴＲＵ−ＩＤに基づいて決定されてよく、ｍａｘ＿ＲＢ＿ｏｆｆｓｅｔ値が第２の値（例えば、＞０）である場合、ＲＥ位置（またはＲＥオフセット）はセルＩＤに基づいて決定されてよい。あるいは、ｍａｘ＿ＲＢ＿ｏｆｆｓｅｔ値が第１の値である場合、ＲＥ位置（またはＲＥオフセット）はＰＴ−ＲＳの周波数密度に基づいて決定されてよく、ｍａｘ＿ＲＢ＿ｏｆｆｓｅｔ値が第２の値である場合、ＲＥ位置（またはＲＥオフセット）はセルＩＤに基づいて決定され得る。
【０１８６】
図１９は、π／２ＢＰＳＫデータ変調に関するＰＴ−ＲＳ生成の例を示す。二位相偏移変調（ＢＰＳＫ）変調１９１２のために、ビットシーケンスｂ（ｎ）は、
【０１８７】
【数２４】
2021503224.tif 000030
【０１８８】
に基づいて、複素数値変調シンボルｘにマッピングされ得る。
【０１８９】
π／２ＢＰＳＫ変調１９１４の場合、ビットシーケンスｂ（ｎ）（ここで、ｎはインデックス（すなわち位置）である）は、
【０１９０】
【数２５】
2021503224.tif 000031
【０１９１】
に基づいて、複素数値変調シンボルｘにマッピングされ得る。
【０１９２】
ここで、
【０１９３】
【数２６】
2021503224.tif 000032
【０１９４】
である。
【０１９５】
本明細書で論じられているように、πおよびｐｉは交換可能に使用され得る。図１９に見られるように、関連付けられたデータ（例えば、ＰＤＳＣＨまたはＰＵＳＣＨ）の変調次数がｐｉ／２ＢＰＳＫであり得るＰＴ−ＲＳシーケンス設計があり得る。０および１からなるＰＴ−ＲＳビットは、事前定義されたパターンに従ってデータビットと共に多重化１９１０され得る。得られた多重化ビットｂ１９０２は、ＢＰＳＫ変調１９１２を経てｄ１９０４を生じ、次いで、ｐｉ／２変調１９１４を経てｃ１９０６を生じることができる。ＢＰＳＫとｐｉ／２変調の分離は、直交カバーコード（ＯＣＣ）がＰＴ−ＲＳビットにわたって適用される場合に有益であり得る。ｐｉ／２変調１９１４の後、結果のシンボルは、ＤＦＴブロック１９１６、および任意選択の周波数ドメインスペクトル整形（frequency domain spectral shaping：ＦＤＳＳ）１９１８によって処理されることができ、ＦＤＳＳ１９１８は、ＤＦＴ１９１６の前または後のいずれに実装されてもよい。整形されたシンボルは、割り当てられたサブキャリアにマッピング１９２０され、ＩＤＦＴ処理ブロック１９２２を経てＯＦＤＭシンボルでの送信の準備ができる。
【０１９６】
図１９は、以下の例を用いてさらに詳細に説明され得る。ＤＦＴサイズが、割り当てられたリソースに基づいてＮ＝１２（例えば、データおよびＰＴ−ＲＳビットの総数）に設定されること、ＰＴ−ＲＳビットが、シーケンスｂ１９０２の先頭部および後尾部における２つのチャンクに挿入されること、並びに各チャンクが２ビットからなることを仮定すると、データおよびＰＴ−ＲＳビット１９１０の多重化されたベクトルは、ｂ＝［Ｘ，Ｘ，８データビット，Ｙ，Ｙ］として記述されてよく、ここで、Ｘ，Ｙ，およびデータビットは、０または１のいずれかである。一般に、各チャンクにおけるＰＴ−ＲＳビットは、同じである必要がなく、従って、この例において、値Ｘ１、Ｘ２、Ｙ１、およびＹ２であってもよく、異なるＸ値およびＹ値があり得ることに留意されたい。例示のために、ｂ＝［１，１，０，０，１，１，０，１，０，１，１  １］の値があり得、ｂ１９０２のＢＰＳＫ変調１９１２の後、変調されたシーケンスは以下の表５に示されるようにｄ１９０４となり得、次の表記が使用される。
【０１９７】
【数２７】
2021503224.tif 000033
【０１９８】
【表５】
2021503224.tif 000034
【０１９９】
次いで、ｐｉ／２変調１９１４を行ってｃ１９０６を得るために、シーケンスｄ１９０４は、ベクトル
【０２００】
【数２８】
2021503224.tif 000035
【０２０１】
（ｎ＝０，…，Ｎ−１）と要素毎に乗算される（アダマール積）。ｐ（ｎ）は、それがｐｉ／２変調を表す限り、少し異なるように記述され得ることに留意されたい。ｐ（ｎ）の計算された値の例が以下の表６に与えられる。
【０２０２】
【表６】
2021503224.tif 000036
【０２０３】
そうすると、以下の表７に示されるように
【０２０４】
【数２９】
2021503224.tif 000037
【０２０５】
を得る。
【０２０６】
【表７】
2021503224.tif 000038
【０２０７】
図２０は、ｐｉ／２ＢＰＳＫデータ変調およびＯＣＣに関するＰＴ−ＲＳ生成の例を示す。本明細書で論じられているように、いくつかの要素は、例えば図１９および図２０におけるように、それらが同じ下二桁の数字を使用する場合、同様のものと解釈され得る。また、図２０は、ＰＴ−ＲＳビットがチャンクで送信されるとき、直交カバーコード（ＯＣＣ）がチャンク内のＰＴ−ＲＳビットにわたって適用され得ることを除いて、図１９と同様であり得る。ＯＣＣで乗算されたビットが同じであり得ることに留意されたい。そのようなシナリオでは、ＯＣＣは、ＢＰＳＫ変調２０１２の後であるがｐｉ／２変調２０１４の前に（すなわち、シーケンスｄ２００４で）、ＰＴ−ＲＳビットに適用され、その結果、ＯＣＣ適用済みＰＴ−ＲＳビットｅ２００５（すなわち、ベクトルｅ）をもたらすことができる。ｐｉ／２変調後にＯＣＣを適用することは、信号の位相連続性を破壊し、より大きなピーク対平均電力比を有する信号をもたらす可能性があることに留意されたい。
【０２０８】
さらに詳細に説明するために、例えば、チャンクサイズが２であり、適用されることになるＯＣＣが［１  １］および［１  −１］であると仮定する。ｄ２００４における各チャンク内の２つのＰＴ−ＲＳビットは、これらのＯＣＣ２０１３のうちの１つを用いて乗算され得る。例を続けると、ＯＣＣが［１  １］である場合、ベクトルｅ２００５は以下の表８に示されるようになる。
【０２０９】
【表８】
2021503224.tif 000039
【０２１０】
ＯＣＣが［１  −１］である場合、ベクトルｅ２００５は以下の表９に示されるようになる。
【０２１１】
【表９】
2021503224.tif 000040
【０２１２】
所与のＷＴＲＵによってＰＴ−ＲＳビットの各チャンクに適用されるＯＣＣは、全てのチャンクに対して同じであってよく、または１つもしくは複数のチャンクに対して異なってもよい。例えば、２つのチャンクおよび２つのビットの場合、ＷＴＲＵにより適用されるＯＣＣコードは、｛［１  １］，［１  １］｝または｛［１  −１］，［１  −１］｝または｛［１  １］，［１  −１］｝または｛［１  −１］，［１  １］｝であり得る。
【０２１３】
全てのチャンクにわたって同じＯＣＣが適用される場合、コードのインデックスは、別のパラメータ、例えば、ＷＴＲＵ  ＩＤを使用して暗黙的にシグナリングまたは決定され得る。例えば、ｍｏｄ（ＷＴＲＵ  ＩＤ，２）は、２つのＯＣＣのうちの１つを決定することができ、ｍｏｄ（ＷＴＲＵ  ＩＤ，４）は、４つのＯＣＣのうちの１つを決定することができる。一般に、ｍｏｄ（ＷＴＲＵ  ＩＤ，ｋ）は、ｋ個のＯＣＣのうちの１つを決定することができる。
【０２１４】
チャンクにわたって適用されることになるＯＣＣのインデックスは、コードの巡回などのルールによって決定され得る。例えば、４つのチャンクが存在し、各チャンクは２ＰＴ−ＲＳビットを有すると仮定する。次いで、ＷＴＲＵは、４つのチャンクに対して以下のコードを与えられた順序で適用することができる：｛［１  １］，［１  −１］，［１  １］，［１  −１］｝または｛［１  −１］，［１  １］，［１  −１］，［１  １］｝。第１のコードのインデックスは、例えばＷＴＲＵ  ＩＤによって、暗黙的にシグナリングまたは決定され得る。
【０２１５】
図２１は、ＯＣＣを巡回する例を示す。巡回操作は、時計回り２１０１または反時計回り２１０２で行われてよく、ここで、ＯＣＣのインデックスは円上に配置されている。例えば、ＯＣＣ＃１＝［１  １  １  １］、ＯＣＣ＃２＝［１  １  −１  −１］、ＯＣＣ＃３＝［１  −１  １  −１］、ＯＣＣ＃４＝［１  −１  −１  １］である。
【０２１６】
１つの手法では、ＯＣＣは、参照信号（例えば、ＰＴ−ＲＳ）の変調次数に基づいて、（例えば、チャンク内の）参照信号シーケンスに対して使用され得る。例えば、第１の変調次数（例えば、ｐｉ／２ＢＰＳＫ）が参照信号に使用される場合、ＯＣＣは使用されなくてよく（例えば、全て「１」のエントリを有するＯＣＣが使用され得る）、第２の変調次数（例えば、ＱＰＳＫ）が参照に使用される場合は、ＯＣＣが使用されてよく、このＯＣＣは、１つもしくは複数のＷＴＲＵ固有パラメータ（例えば、ＷＴＲＵ−ＩＤ（例えば、Ｃ−ＲＮＴＩ）、スクランブリングＩＤなど）、上位レイヤで構成されたパラメータ、レイヤ（例えば、送信レイヤ）、レイヤの数、１つもしくは複数のセル固有パラメータ（例えば、セルＩＤ）のうちの１つまたは複数に基づいて決定されてよく、および／または特定のＯＣＣ（例えば、全て「１」エントリ）の使用は、ＯＣＣの不使用と呼ばれることがある。
【０２１７】
ＱＰＳＫ変調などの全ての変調タイプのため共通ＰＴ−ＲＳ設計に関して、ビットｂ（ｎ）およびｂ（ｎ＋１）の対が、
【０２１８】
【数３０】
2021503224.tif 000041
【０２１９】
に従って複素数値変調シンボルｘにマッピングされ得る。
【０２２０】
図２２は、ｐｉ／２ＢＰＳＫおよびＱＰＳＫコンスタレーションの例を示す。上述されたｐｉ／２ＢＰＳＫ変調とＱＰＳＫ変調の両方は、図２２に示されたのと同じコンスタレーションを有し得ることに留意されたい。横軸で実数２２０１、縦軸で虚数２２０２が測られる。ｐｉ／２ＢＰＳＫとＱＰＳＫが同じコンスタレーションを有するとすると、ｐｉ／２ＢＰＳＫ、並びにＱＰＳＫ、１６ＱＡＭ、およびその他を含む全てのタイプのデータ変調に共通するＰＴ−ＲＳのシーケンス設計を有することが望ましいことがある。このため、一般に、１つのＤＦＴ−ｓ−ＯＦＤＭシンボルにおけるＰＴ−ＲＳに必要とされるビットの数は、Ｖ＊Ｘ（Ｘで乗算されたＶ）と等しくすることができ、ここで、Ｖはチャンクサイズであり、Ｘはチャンク番号である。
【０２２１】
図２３は、共通のＰＴ−ＲＳ設計サンプルを示す。この例では、ＰＴ−ＲＳビット２３１０は、ｐ（０）、ｐ（１）、ｐ（２）、およびｐ（３）の値を有することができる。ＢＰＳＫ変調２３０２によって処理されると、ＰＴ−ＲＳシーケンスは、
【０２２２】
【数３１】
2021503224.tif 000042
【０２２３】
に従って生成され得る。
【０２２４】
これは、２３０３に示されており、ｎは、ＤＦＴ２３０４入力のインデックス（ｎ＝０，１，…，Ｎ−１）であり、ｉ番目のＰＴ−ＲＳビットｐ（ｉ）が挿入される。
【０２２５】
例えば、ＤＦＴサイズが１２であり、ＰＴ−ＲＳが、ＤＦＴ２３０４入力ｎ＝０，１（先頭部）およびｎ＝１０，１１（後尾部）に挿入される場合、これらのＤＦＴ２３０４入力に挿入されるＰＴ−ＲＳは、以下のように記述され得る：
【０２２６】
【数３２】
2021503224.tif 000043
【０２２７】
図２４は、グループ内の最小のｎについてのＰＴ−ＲＳ設計へのＯＣＣ適用の例を示し、図２５は、グループ内の最大のｎに関することを除いて同じものを示す。図２１に関して説明されたように、ＯＣＣがチャンク内のＰＴ−ＲＳビットにわたって適用され、データに対する変調タイプがｐｉ／２ＢＰＳＫである場合、ＯＣＣは、ＢＰＳＫ変調の後であるがｐｉ／２変調の前に適用され得ることに留意されたい。データ変調タイプがｐｉ／２ＢＰＳＫでないときも同じ方法が使用され得る。あるいは、データ変調タイプがｐｉ／２ＢＰＳＫでないとき、図２４の例に示されるようにｐｉ／２ＢＰＳＫ変調されたＰＴ−ＲＳビットにわたってＯＣＣが適用されてもよい。また図２４では、Ｏ１およびＯ２  ２４０５が、ＯＣＣビット（例えば、［Ｏ１  Ｏ２］＝［１  １］または［１  −１］）を示すことができる。
【０２２８】
ＯＣＣを用いて、必要とされるＰＴ−ＲＳビット２４１０の数は（Ｘ＊Ｖ）／Ｌとすることができ、ここで、ＬはＯＣＣの長さである。これらのビットがＢＰＳＫ変調２４０２された後、各ビットは、Ｌ回繰り返され、ＤＦＴ２４０４の対応する入力にマッピングされ得る。図２４の例では、Ｌ＝２を使用する。各Ｌサイズグループにおけるビットは、同じ係数ｅjmπ/2２４０３で乗算されてよく、ここで、ｍは、Ｌサイズのグループに対応するＤＦＴ２４０４入力のインデックスに基づいて決定され得る。例えば、ｍは、図２４に示されるようなそのグループ内の最小のｎ（すなわち、ｅjmπ/2は、ｅj(0)π/2およびｅj(N-1)π/2になる）、または図２５に示されるようなそのグループ内の最大のｎ（すなわち、ｅjmπ/2は、ｅj(1)π/2およびｅj(N)π/2になる）とすることができる。図２４に関して説明されるプロセスは、ｎ値を別として図２５と同様であり得る。あるいは、ｍは、ｉ（ＰＴ−ＲＳビットインデックス、ｉ＝０，１，…，（Ｘ＊Ｋ）／Ｌ）と等しく設定され得る。
【０２２９】
ＰＴ−ＲＳビットｐ（ｉ）は、ＬＴＥで使用されるゴールドシーケンス生成器などの疑似乱数生成器を使用して生成されてよい。
【０２３０】
１つのシナリオでは、ＯＣＣはデータ変調次数に依存し得る。データビットのｐｉ／２ＢＰＳＫ変調の場合、デフォルトのＯＣＣベクトルがＰＴ−ＲＳチャンクにわたって適用され得る（例えば、［１  １］または［１  １  １  １］のような全て１のベクトル）。
【０２３１】
ｐｉ／２ＢＰＳＫ変調が、
【０２３２】
【数３３】
2021503224.tif 000044
【０２３３】
として定義される場合、
コンスタレーションは図２６の例に示されるようになり、図において、横軸は実数２６０１を示し、縦軸は虚数２６０２を示す。そのような場合、ｐｉ／２ＢＰＳＫ変調されたＰＴ−ＲＳは、図２６に示されるようにコンスタレーションを作成するために、ｅ＾（ｊπ／４）でＰＴ−ＲＳシンボルを乗算した後に、データ変調がＱＰＳＫまたはより高次のＱＡＭ変調である場合に使用され得る。
【０２３４】
別のシナリオでは、第１のＲＳシーケンスは、ｐｉ／２ＢＰＳＫに基づくことができ、第２のＲＳシーケンスは、第１のＲＳシーケンスの位相シフトされたバージョンであり得る。そのようなシナリオでは、以下の１つまたは複数が適用され得る。すなわち、第１のＲＳシーケンスが、その関連付けられたデータチャネルの変調次数が第１の変調次数（例えば、ｐｉ／２ＢＰＳＫ）であるときに使用されることができ、並びに／または、第１のＲＳシーケンスの位相シフトされたバージョン（例えば、第２のＲＳシーケンス）が、その関連付けられたデータチャネルの変調次数が第２の変調次数（例えば、ｐｉ／２ＢＰＳＫよりも高い変調次数）であるときに使用されることができ、ここで、位相シフト値は、ｐｉ／２ＢＰＳＫおよびＱＰＳＫのコンスタレーションに基づいて事前定義、事前構成、もしくは決定され得る。
【０２３５】
実施形態において、ＮＲの仮想ＣＰ（すなわち、拡張されたＣＰ）についてのＰＴ−ＲＳが考慮されてよく、ここで波形およびフレーム構造は標準化されてよく、ＣＰ  ＤＦＴ−ｓ−ＯＦＤＭおよびＣＰ  ＯＦＤＭがアップリンク方向の波形であってよく、ｐｒｅ−ＤＦＴ  ＰＴ−ＲＳがＤＦＴ−ｓ−ＯＦＤＭのために使用されてよく、以下の表１０にも表されるΔｆ＝２μ・１５［ｋＨｚ］として定義されるサブキャリア間隔を有する複数のヌメロロジが存在してよい。異なるサブキャリア間隔について、ＣＰサイズは以下で与えられる式に基づくことができる。
【０２３６】
【数３４】
2021503224.tif 000045
【０２３７】
【表１０】
2021503224.tif 000046
【０２３８】
これらの考慮に基づいて、ＣＰサイズは、ＮＲにおけるより大きいサブキャリア間隔に対して指数関数的に低減し得る。これは、ＯＦＤＭまたはＤＦＴ−ｓ−ＯＦＤＭシンボルが、より高いサブキャリア間隔についてマルチパス遅延拡散に影響されやすいことがあり、受信機が、特定の場合（例えば、屋外シナリオまたはＮＬＯＳリンクを有する場合）においてより高いサブキャリア間隔についてＩＳＩを受け得ることを意味する。既存の解決策は、送信機と受信機の両方の複雑さを増大させることがあり（例えば、ＵＷとＣＰの組み合わせ、摂動手法）、またはＮＲのために使用されるヌメロロジ（すなわち、ＤＦＴ−ｓ−ＯＦＤＭのための動的方法および静的方法）に適合しないことがある。例えば、本質的にｐｒｅ−ＤＦＴ  ＰＴ−ＲＳを可能にする静的方法は、ＣＰ長が
【０２３９】
【数３５】
2021503224.tif 000047
【０２４０】
であるように要求することがある。しかしながら、これは、ＮＲのための可能なヌメロロジのうちの１つまたは複数を用いると実現できないことがある。従って、ＮＲの場合などのＣＰのサイズに対する可能な制約に適合しながらＣＰ拡張を可能にする仮想ＣＰ解決策を考慮することが有用であり得る。
【０２４１】
図２７は、ＣＰエクステンダブロックを用いて予め決定されたＲＳに基づいてＣＰ拡張ＲＳを生成する例示的手法を示す。この手法では、ＣＰエクステンダブロック２７０８を使用し、ノーマルＣＰ持続時間を拡張するために、ＤＦＴ−ｓ−ＯＦＤＭの入力にマッピングすることによって、ＣＰ拡張ＲＳが、他の予め決定されたＲＳに基づいて計算され得る。この方法のための詳細な送信機ブロック図並びに対応する時間ドメインシンボル（すなわち、３つの連続したＤＦＴ−ｓ−ＯＦＤＭシンボル２７３１i-1、２７３１i、および２７３１i+1）が、図２７に示される例示的図に見られ得る。ＴＸブロック図２７０１において、
【０２４２】
【数３６】
2021503224.tif 000048
【０２４３】
は、データシンボルを含有するデータベクトルであり、
【０２４４】
【数３７】
2021503224.tif 000049
【０２４５】
は、予め決定されたＲＳまたはＰＴ−ＲＳを含むことができるベクトルであり、
【０２４６】
【数３８】
2021503224.tif 000050
【０２４７】
は、ＣＰエクステンダブロック２７０８を通して生成されたＣＰ拡張ＲＳを含むことができるベクトルである。ＣＰエクステンダブロックの入力は、
【０２４８】
【数３９】
2021503224.tif 000051
【０２４９】
のサイズ（すなわちＲhおよびＲt）、時間ドメインにおける拡張の量（すなわち、ＴおよびＨ）、予め決定されたＲＳもしくはＰＴ−ＲＳ（すなわち、ｈおよびｔ）、ノーマルＣＰサイズＧ、並びに／またはシンボルマッピング行列
【０２５０】
【数４０】
2021503224.tif 000052
【０２５１】
であり得、シンボルマッピング行列は、ベクトルｄ、ｈ、ｔ、
【０２５２】
【数４１】
2021503224.tif 000053
【０２５３】
をＭ点のＤＦＴ行列ＤMの入力にマッピングする。
【０２５４】
図２７を見ると、ＣＰエクステンダブロック２７０８は、仮想ＣＰを実現するための最小化基準に基づいてベクトル
【０２５５】
【数４２】
2021503224.tif 000054
【０２５６】
を生成することができる。ＣＰエクステンダブロック２７０８は、この手法では固定された値で動作するので、ＣＰエクステンダブロック２７０の出力は、オフラインで計算されてよく、送信機（図示せず）のメモリに記憶されてよい。
【０２５７】
【数４３】
2021503224.tif 000055
【０２５８】
が生成された後、ｄ、ｈ、ｔ、
【０２５９】
【数４４】
2021503224.tif 000056
【０２６０】
は、シンボルマッピング行列Ｍt２７１０を介してＭ−ＤＦＴの入力にマッピングされ得る。次いで、マッピングされたベクトルｄ、ｈ、ｔ、
【０２６１】
【数４５】
2021503224.tif 000057
【０２６２】
のＭ−ＤＦＴが計算され得る。後続のステップにおいて、ＤM２７１２が、サイズＭのＤＦＴ（Ｍ−ＤＦＴ）の出力をもたらし、これが、
【０２６３】
【数４６】
2021503224.tif 000058
【０２６４】
２７１４によって表される周波数ドメインマッピング行列を介してサブキャリアにマッピングされることができ、Ｍ−ＤＦＴのマッピングされた出力のＮ−ＩＤＦＴは、ＩＤＦＴ行列
【０２６５】
【数４７】
2021503224.tif 000059
【０２６６】
２７１６によって計算されることができ、これは、時間ドメイン信号ベクトル
【０２６７】
【数４８】
2021503224.tif 000060
【０２６８】
を与える。ｘの最後のＧ個のサンプルが信号ベクトルｘにプリペンドし、得られたベクトルは送信されることができ、結果として、時間ドメイン信号図２７３０をもたらす。
【０２６９】
ベクトルｘを生成する演算全体は、
【０２７０】
【数４９】
2021503224.tif 000061
【０２７１】
として表され得る。
【０２７２】
ここで、
【０２７３】
【数５０】
2021503224.tif 000062
【０２７４】
は、ベクトルｄ、ｈ、ｔ、
【０２７５】
【数５１】
2021503224.tif 000063
【０２７６】
からベクトルｘを生成する波形行列である。
【０２７７】
図２８は、ＣＰエクステンダブロックを用いて仮想ＣＰを実現するために設計された信号構造の例を示す。説明のため、ＣＰ拡張部分の導出は、予め決定されたＲＳ（例えばＰＴ−ＲＳ）に基づくことができる。ＣＰ部分Ｇを有する信号構造は、データベクトルＭdがゼロベクトルに設定されたときに示される仮想ＣＰを実現するために利用され得る。所与のＣＰ長Ｇ、ｈ、ｔ、およびマッピング行列Ｍtについて、ＣＰエクステンダブロックは、
【０２７８】
【数５２】
2021503224.tif 000064
【０２７９】
を生成して、信号図２８３０に示されるベクトルｘの（ｘ1で示される）最後のＴ個のサンプルおよび（ｘ4で示される）最初のＨ個のサンプルがそれぞれ、（ｘ2で示される）ｘの（Ｎ−Ｇ＋１）番目のサンプルまでのＴ個のサンプル、および（ｘ3で示される）ｘの（Ｎ−Ｇ＋１）番目のサンプルからのＨ個のサンプルとほぼ等しいようにすることができ、ここで、
【０２８０】
【数５３】
2021503224.tif 000065
【０２８１】
である。ＣＰは、値
【０２８２】
【数５４】
2021503224.tif 000066
【０２８３】
を操作することによって仮想的に拡張され得る。この目標を達成するために、波形行列Ａを分割することができる。
【０２８４】
図２９は、ＣＰエクステンダブロックを導出するための波形行列Ａの分割の例を示す。図２９は、図２７および図２８に関係してなど本明細書で論じられるような変数の文脈で解釈され得る。部分行列は、
ＡH11＝Ａ（１：Ｈ，［１：Ｍd＋Ｍt＋Ｍh］）
ＡH12＝Ａ（１：Ｈ，Ｍd＋Ｍt＋Ｍh＋［１：Ｍ］）
ＡH21＝Ａ（Ｎ−Ｇ＋［１：Ｈ］，［１：Ｍd＋Ｍt＋Ｍh］）
ＡH22＝Ａ（Ｎ−Ｇ＋［１：Ｈ］，Ｍd＋Ｍt＋Ｍh＋［１：Ｍ］）
ＡT11＝Ａ（Ｎ−Ｇ−Ｔ＋［１：Ｔ］，［１：Ｍd＋Ｍt＋Ｍh］）
ＡT12＝Ａ（Ｎ−Ｇ−Ｔ＋［１：Ｔ］，Ｍd＋Ｍt＋Ｍh＋［１：Ｍ］）
ＡT21＝Ａ（Ｎ−Ｔ＋［１：Ｔ］，［１：Ｍd＋Ｍt＋Ｍh］）
ＡT22＝Ａ（Ｎ−Ｔ＋［１：Ｔ］，Ｍd＋Ｍt＋Ｍh＋［１：Ｍ］）
として定義され得る。
【０２８５】
ここで、Ａ（Ｘ＋［Ａ1：Ａ2]，Ｙ＋［Ｂ1：Ｂ2］）は、ＡにおけるＸ＋Ａ1からＸ＋Ａ2までの行およびＹ＋Ｂ1からＹ＋Ｂ2までの列の部分行列を与える。
【０２８６】
上記の部分行列を使用することによって、ベクトルｘ1、ｘ2、ｘ3、およびｘ4はそれぞれ、
【０２８７】
【数５５】
2021503224.tif 000067
【０２８８】
として表され得る。
【０２８９】
目的（objective）は
【０２９０】
【数５６】
2021503224.tif 000068
【０２９１】
とすることができるので、部分行列を並べ替えることによって、ＣＰエクステンダブロックにおける目的関数は、
【０２９２】
【数５７】
2021503224.tif 000069
【０２９３】
として記述されることができ、これは次の条件に従う。
【０２９４】
【数５８】
2021503224.tif 000070
【０２９５】
ここで、αは、ＣＰ拡張ＲＳのエネルギーを制約する非負値である。所与のαについての等価な手法が、以下の式（１）で閉形式で取得され得る。
【０２９６】
【数５９】
2021503224.tif 000071
【０２９７】
ここで、λは、ＣＰエクステンダブロックの非負の内部パラメータである。
【０２９８】
図３０は、ＣＰエクステンダブロックに関係付けられた概念をさらに説明するための仮定値を有する例示的送信（ＴＸ）ブロック図を示す。図３０は、図２７、図２８、および図２９に関係してなど本明細書で論じられるような変数およびプロセスの文脈で解釈され得る。
【０２９９】
図３１は、図３０に示された送信ブロックの仮定値から得られる例示的信号を示す。図３１は、図２７、図２８、図２９、および図３０に関係してなど本明細書で論じられるような変数およびプロセスの文脈で解釈され得る。
【０３００】
図３０を参照すると、Ｍ＝９６（すなわち、ＮＲに９６個のサブキャリアが存在し得るので６個のＲＢ）、Ｎ＝５１２、Ｇ＝３６とし、ＣＰサイズが、Ｇe＝Ｇ＋１８＝５４（例えば、Ｈ＝１８およびＴ＝０）サンプルとして拡張されて、マルチパスチャネルに対するＤＦＴ−ｓ−ＯＦＤＭシンボルのロバスト性を増大させる。この例では、独立したＲＳ長がＭh＝１およびＭt＝１によって与えられ、それらの値は１に設定されると仮定され得る（Ｍhは、データシンボルからの漏れを回避するためにＭh≧Ｇ／Ｎ×Ｍより大きくすべきである）。マッピングのために、Ｍd1＝８６およびＭd2＝１であると仮定され得る。依存されるＲＳのサイズは、Ｒh＝３およびＲt＝２として設定され得る。内部λは０．０００１に設定され得る。これらのパラメータが与えられたとして、図３１を参照すると、時間ドメインにおける得られた信号が示されてよく、振幅が縦軸３１０２で示され、サンプルが横軸３１０１で示されている。これらの設定を用いて、ＣＰエクステンダブロックは以下のＣＰ拡張ＲＳを生成する。
【０３０１】
【数６０】
2021503224.tif 000072
【０３０２】
時間ドメイン信号から分かるように、拡張されたＣＰ部分３１１４は、３１１０ａおよび３１１０ｂを見てほぼ同じであり得る。従って、この例は、本明細書に開示された手法によって、マルチパスチャネルに対するＤＦＴ−ｓ−ＯＦＤＭのロバスト性が改善され得ることを示す。
【０３０３】
図３２は、ＣＰ拡張ＲＳを用いるＣＰ拡張の二倍化の例を示す。この例では、Ｈ＋ＴがＧと等しくなり得る。式（１）の誤差を減らすために、シンボルマッピング行列Ｍtが最適化され得る。例えば、マッピング行列Ｍtは、ＣＰ拡張ＲＳおよび予め決定されたＲＳをインターフェースすることができる。
【０３０４】
図３３は、ＣＰ拡張ＰＴ−ＲＳ設計の例を示す。実施形態において、エネルギー制約を有する全てのＲＳまたはＰＴ−ＲＳが、ＣＰエクステンダブロック３３０８を使用することによって計算され、ＤＦＴ−ｓ−ＯＦＤＭの入力にマッピングされ得る。図示されるように、詳細な送信機ブロック図３３０１並びに対応する時間ドメインシンボル３３３０（すなわち、３つの連続したＤＦＴ−ｓ−ＯＦＤＭシンボル３３３１i-1、３３３１i、および３３３１i+1）があり得る。ＣＰエクステンダブロック３３０８は、仮想ＣＰを実現するための最小化基準に基づいてベクトル
【０３０５】
【数６１】
2021503224.tif 000073
【０３０６】
を生成することができる。ＣＰエクステンダブロックの出力は、オフラインで計算されてよく、送信機のメモリに記憶されてよい。
【０３０７】
【数６２】
2021503224.tif 000074
【０３０８】
が生成された後、ｄ、
【０３０９】
【数６３】
2021503224.tif 000075
【０３１０】
は、シンボルマッピング行列Ｍtを介してＭ−ＤＦＴの入力にマッピングされ得る。ベクトルｘを生成する演算全体は、
【０３１１】
【数６４】
2021503224.tif 000076
【０３１２】
として表され得る。
【０３１３】
ここで、
【０３１４】
【数６５】
2021503224.tif 000077
【０３１５】
は、ベクトルｄ、
【０３１６】
【数６６】
2021503224.tif 000078
【０３１７】
からベクトルｘを生成する波形行列である。
【０３１８】
図３４は、ＣＰエクステンダブロックを用いて仮想ＣＰを実現するための信号構造の例を示す。仮想ＣＰを実現するためのＣＰ拡張部分を有する信号構造３４３０は、データベクトルＭdがゼロベクトルに設定されたときに示され得る。所与のＣＰ長Ｇおよびマッピング行列Ｍtについて、ＣＰエクステンダブロックは、
【０３１９】
【数６７】
2021503224.tif 000079
【０３２０】
を生成して、ベクトルｘの（ｘ4で示される）最後のＴ個のサンプルおよび（ｘ1で示される）最初のＨ個のサンプルがそれぞれ、（ｘ2で示される）ｘの（Ｎ−Ｇ＋１）番目のサンプルまでのＴ個のサンプル、および（ｘ3で示される）ｘの（Ｎ−Ｇ＋１）番目のサンプルからのＨ個のサンプルとほぼ等しく、すなわち、
【０３２１】
【数６８】
2021503224.tif 000080
【０３２２】
にすることができる。ＣＰは、
【０３２３】
【数６９】
2021503224.tif 000081
【０３２４】
を操作することによって仮想的に拡張され得る。この目標を達成するために、波形行列Ａを分割することができる。
【０３２５】
図３５は、完全なＰＴ−ＲＳのためのＣＰエクステンダブロックを導出するための波形行列Ａを示す。部分行列は、
ＡH11＝Ａ（１：Ｈ，［１：Ｍd］）
ＡH12＝Ａ（１：Ｈ，Ｍd＋［１：Ｍ］）
ＡH21＝Ａ（Ｎ−Ｇ＋［１：Ｈ］，［１：Ｍd］）
ＡH22＝Ａ（Ｎ−Ｇ＋［１：Ｈ］，Ｍd＋［１：Ｍ］）
ＡT11＝Ａ（Ｎ−Ｇ−Ｔ＋［１：Ｔ］，［１：Ｍd］）
ＡT12＝Ａ（Ｎ−Ｇ−Ｔ＋［１：Ｔ］，Ｍd＋［１：Ｍ］）
ＡT21＝Ａ（Ｎ−Ｔ＋［１：Ｔ］，［１：Ｍd］）
ＡT22＝Ａ（Ｎ−Ｔ＋［１：Ｔ］，Ｍd＋［１：Ｍ］）
として定義され得る。
【０３２６】
ここで、Ａ（Ｘ＋［Ａ1：Ａ2]，Ｙ＋［Ｂ1：Ｂ2］）は、ＡにおけるＸ＋Ａ1からＸ＋Ａ2までの行およびＹ＋Ｂ1からＹ＋Ｂ2までの列の部分行列を与える。
【０３２７】
上記の部分行列を使用することによって、ベクトルｘ1、ｘ2、ｘ3、およびｘ4はそれぞれ、
【０３２８】
【数７０】
2021503224.tif 000082
【０３２９】
として表され得る。
【０３３０】
１つの目的は
【０３３１】
【数７１】
2021503224.tif 000083
【０３３２】
とすることができるので、部分行列を並べ替えることによって、ＣＰエクステンダブロックにおける演算は、
2021503224.tif 000084
【０３３３】
として記述されることができ、これは次の条件に従う。
2021503224.tif 000085
【０３３４】
ここで、αは、自明な解を回避する非負値である。これは、問題が凸であるので、任意の凸最適化ツールボックスを使用することによって対処され得る。
【０３３５】
別の手法では、要素
2021503224.tif 000086
【０３３６】
に対する値を最適化するために別の制約が導入され得る。
【０３３７】
実施形態において、ＰＴ−ＲＳは、サイドリンク送信もしくはサイドリンクチャネルのために、またはサイドリンク送信もしくはサイドリンクチャネルと共に使用され得る。サイドリンクチャネルは、ＷＴＲＵ間で使用されるチャネルであり得る。
【０３３８】
ＰＴ−ＲＳは、使用され得るＲＳの非限定的例である。本明細書に説明されている実施形態および例において、ＤＭ−ＲＳのような他のＲＳがＰＴ−ＲＳの代わりに用いられてもよく、そうしても本開示との整合性があり得る。例えば、ＰＴ−ＲＳの存在、密度および／または位置を決定するために使用される解決策は、サイドリンクチャネルなどのチャネルのためのＤＭ−ＲＳのような他のＲＳのそれらを決定するのに適用可能であり得る。
【０３３９】
サイドリンクチャネルまたは送信は、同じまたは異なるタイプであり得るＷＴＲＵの間の通信のために使用され得る、チャネルまたは送信の非限定的例である。例えば、本明細書に説明されている例および実施形態において、バックホールチャネルまたは送信がサイドリンクチャネルまたは送信の代わりに用いられてもよく、そうしても本開示との整合性があり得る。バックホールチャネルまたは送信は、ｇＮＢ、リレーおよびｇＮＢ（例えば、ドナーｇＮＢ）、統合アクセスバックホール（ＩＡＢ）ノード、ｇＮＢ、並びに／またはＩＡＢノードなどの間であり得る。
【０３４０】
１つの手法では、ＰＳＣＣＨおよびＰＳＳＣＨは、同じ構造（例えば、ＲＢまたはスケジュールされたＲＢ内のＤＭ−ＲＳ  ＲＥ位置およびデータＲＥ位置）を使用することができる。サイドリンク送信は、ＰＳＣＣＨおよびその関連付けられたＰＳＳＣＨを含むことができ、ＰＳＣＣＨは、ＰＳＳＣＨのためのスケジューリング情報を提供することができる。
【０３４１】
ＰＳＣＣＨにおけるＰＴ−ＲＳの存在（例えば送信）は、ＰＳＳＣＨにおけるＰＴ−ＲＳの存在に基づいて決定され得る。例えば、ＰＴ−ＲＳは、ＰＴ−ＲＳが関連付けられたＰＳＳＣＨ（例えば、ＰＳＣＣＨによりスケジュールされたＰＳＳＣＨ）に存在するとき、ＰＳＣＣＨに存在し得る（例えば、送信され得る）。
【０３４２】
ＰＳＣＣＨにおけるＰＴ−ＲＳの存在は、関連付けられたＰＳＳＣＨにおけるＰＴ−ＲＳの存在、および関連付けられたＰＳＣＣＨの時間位置に基づいて決定され得る。例えば、ＰＳＣＣＨおよびその関連付けられたＰＳＳＣＨ（例えば、ＰＳＣＣＨによりスケジュールされたＰＳＳＣＨ）が同じスロットまたは同じ時間位置に配置され、関連付けられたＰＳＳＣＨがＰＴ−ＲＳを含む場合、ＰＳＳＣＨはＰＴ−ＲＳを含むことができる。ＰＳＣＣＨおよびその関連付けられたＰＳＳＣＨが、異なるスロットまたは異なる時間位置に配置されている場合、ＰＳＣＣＨはＰＴ−ＲＳを含まなくてよい。
【０３４３】
ＰＳＳＣＨにおけるＰＴ−ＲＳの存在は、サイドリンク送信のための（例えば、ＰＳＳＣＨのための）キャリアもしくは帯域幅部分の周波数範囲（例えば、ＦＲ１、ＦＲ２）、ＰＳＳＣＨ送信のためのキャリアもしくはＢＷＰのサブキャリア間隔またはＰＳＳＣＨ送信のために使用され得るサブキャリア間隔、ＰＳＳＣＨのために示されもしくは使用されるＭＣＳレベルおよび／もしくはスケジューリング帯域幅、ドップラー周波数（もしくは２つのＷＴＲＵ間の相対速度）、並びに／または上位レイヤ構成のうちの少なくとも１つに基づいて決定され得る。
【０３４４】
ＰＳＣＣＨでのＰＴ−ＲＳの密度（例えば、時間および／または周波数密度）は、関連付けられたＰＳＳＣＨでのＰＴ−ＲＳの密度に基づいて決定されてよい。さらに／あるいは、ＰＳＣＣＨでのＰＴ−ＲＳの密度は、関連付けられたＰＳＳＣＨでのＰＴ−ＲＳの密度と同じであってよい。さらに／あるいは、関連付けられたＰＳＳＣＨでのＰＴ−ＲＳの密度は、上位レイヤ構成に基づいて決定されてよい。さらに／あるいは、関連付けられたＰＳＳＣＨでのＰＴ−ＲＳの密度は、２つのＷＴＲＵ間の距離または近接性に基づいて決定されてよく、ＷＴＲＵは、サイドリンクリソースを付与し得るｇＮＢからの距離情報または近接性情報を通知されてよい。さらに／あるいは、関連付けられたＰＳＳＣＨでのＰＴ−ＲＳの密度は、１つまたは複数のスケジューリングパラメータ（例えば、ＭＣＳレベル、スケジューリング帯域幅）に基づいて決定されてよい。
【０３４５】
ＰＳＳＣＨおよび／またはＰＳＣＣＨのＰＴ−ＲＳ密度を決定し得るＰＳＳＣＨについての１つまたは複数のスケジューリングパラメータは、ＷＴＲＵがＰＳＣＣＨを送信する前に、構成（例えば事前構成）されまたは示され得る。例えば、ＰＤＣＣＨ（例えば、１つまたは複数のサイドリンクリソースを付与するＰＤＣＣＨ）は、ＰＳＣＣＨおよび／またはＰＳＳＣＨのＰＴ−ＲＳ密度を決定し得るかまたは決定するために使用され得る、ＰＳＳＣＨについての１つまたは複数のスケジューリング情報を提供するかまたは示すことができる。
【０３４６】
１つまたは複数のＰＳＣＣＨがＰＳＳＣＨに関連付けられてよく、ＰＳＳＣＨをスケジュールするサイドリンク制御情報（sidelink control information：ＳＣＩ）は、１つまたは複数のＰＳＣＣＨに分割されてよい。例えば、ＳＣＩの第１のサブセットは、第１のＰＳＣＣＨにおいて送信されてよく、ＳＣＩの第２のサブセットは、第２のＰＳＣＣＨにおいて送信されてよく、以下同様である。第１のＰＳＣＣＨはＰＴ−ＲＳを含むことができる。第１のＰＳＣＣＨのＰＴ−ＲＳの密度および／または位置は構成されてよく、または予め決定されてよい。あるいは、第１のＰＳＣＣＨはＰＴ−ＲＳを含まなくてよい。さらに／あるいは第１のＰＳＣＣＨは、ＰＳＳＣＨのＰＴ−ＲＳ密度および／またはＰＴ−ＲＳ位置を決定し得るかまたは決定するために使用され得る、ＰＳＳＣＨについての１つまたは複数のスケジューリング情報を含むことができる。ＰＳＣＣＨ（例えば、第１のＰＳＣＣＨ）に含まれる１つまたは複数のスケジューリング情報は、ＰＳＣＣＨの残りの部分の１つまたは複数（例えば、全て）のような他のＰＳＣＣＨのＰＴ−ＲＳ密度および／またはＰＴ−ＲＳ位置を決定し得るか、または決定するために使用され得る。
【０３４７】
ＰＳＣＣＨでのＰＴ−ＲＳの存在および／または密度は、ＰＳＣＣＨ構成に基づいて決定されまたは予め決定されてよい。ＰＳＳＣＨでのＰＴ−ＲＳの存在および／または密度は、関連付けられたＰＳＣＣＨによって提供されるスケジューリングパラメータに基づいて決定されてよい。
【０３４８】
１つのシナリオでは、ＰＳＣＣＨがＰＳＳＣＨをスケジュールするために使用されるとき、ＰＳＳＣＨのスケジューリングパラメータ（例えば、ＭＣＳまたはスケジューリング帯域幅）は、例えばＰＳＣＣＨが受信されるまで、知られていないことがある。（例えば、ＰＳＳＣＨに関する）スケジューリングパラメータの最大値または最小値は、ＰＳＣＣＨでのＰＴ−ＲＳの存在および／または密度を決定するために構成および／または使用され得る。
【０３４９】
手法において、ＰＳＣＣＨおよび／またはＰＳＳＣＨリソースは、ＰＤＣＣＨによって決定され、示され、および／または付与され得る。ＰＳＣＣＨでのＰＴ−ＲＳの存在および／または密度は、関係付けられたＰＤＣＣＨによって提供された情報に基づいて決定されてよい。ＰＳＳＣＨでのＰＴ−ＲＳの存在および／または密度は、関係付けられたＰＳＣＣＨによって提供された情報に基づいて決定されてよい。
【０３５０】
ＰＳＣＣＨリソース割り当てまたは付与のためのＰＤＣＣＨ（例えば、ＤＣＩ）は、１つもしくは複数のＰＳＣＣＨの時間／周波数位置、ＰＳＣＣＨ送信に使用されるＲＢの数、ＤＭ−ＲＳ構成情報（例えば、ＰＳＣＣＨのＤＭ−ＲＳ密度、ＰＳＣＣＨ内のＤＭ−ＲＳ位置など）、および／またはＰＴ−ＲＳ構成情報（例えば、ＰＴ−ＲＳの存在、ＰＴ−ＲＳ密度、ＲＢオフセットおよびサブキャリア位置を含むＰＴ−ＲＳ位置）のうちの１つまたは複数を含むことができる。
【０３５１】
ＰＳＳＣＨスケジューリングのためのＰＳＣＣＨは、スケジュールされたＰＳＳＣＨの時間／周波数位置、スケジュールされたＰＳＳＣＨに使用されるＲＢの数、ＤＭ−ＲＳ構成情報（例えば、ＰＳＳＣＨのＤＭ−ＲＳ密度、ＰＳＳＣＨ内のＤＭ−ＲＳ位置など）、ＰＴ−ＲＳ構成情報（例えば、ＰＴ−ＲＳの存在、ＰＴ−ＲＳ密度、ＲＢオフセットおよびサブキャリア位置を含むＰＴ−ＲＳ位置）のうちの１つまたは複数を含むことができ、および／または、ＰＴ−ＲＳ構成情報が、関連付けられたＰＳＣＣＨによって提供されない場合、ＰＴ−ＲＳ構成はＰＳＣＣＨのそれと同じにすることができる。
【０３５２】
１つまたは複数の動作モードがサイドリンクのために使用され得る。第１のサイドリンクモード（例えばＳＬ−Ｍｏｄｅ−１）では、ＰＳＣＣＨおよび／またはＰＳＳＣＨのためのリソースは、ｇＮＢによって（例えば、ＰＤＣＣＨを使用して）動的に付与され得る。第２のサイドリンクモード（例えばＳＬ−Ｍｏｄｅ−２）では、ＰＳＣＣＨおよび／またはＰＳＳＣＨのための１つまたは複数のリソースが構成（例えば事前構成）され、ＷＴＲＵが、構成されたリソースのうちの１つを決定および／または使用することができる。
【０３５３】
本明細書に説明されている例および実施形態において、第１のモードは、動的に付与されたリソースを有するモード（例えばＳＬ−Ｍｏｄｅ−１）であってよく、第２のモードは、構成されたプールもしくはセットからのＷＴＲＵに選択されたリソースを有するモード（例えば、ＳＬ−Ｍｏｄｅ−２）であってよく、またはその逆であってもよい。
【０３５４】
解決策では、サイドリンクチャネル（例えば、ＰＳＣＣＨおよび／またはＰＳＳＣＨ）におけるＰＴ−ＲＳの存在、密度および／または位置が、サイドリンク動作モードに基づいて決定され得る。例えば、サイドリンクチャネルにおけるＰＴ−ＲＳの存在がサイドリンク動作モードに基づいて決定されてよい。ＰＴ−ＲＳは、第１のサイドリンクモードでサイドリンクチャネルに存在することができ、第２のサイドリンクモードでサイドリンクチャネルに存在できないことがある。
【０３５５】
サイドリンクチャネルでのＰＴ−ＲＳの密度および／または位置は、（例えば、上位レイヤシグナリングを介して）構成されてよく、または本明細書の例で説明されているように（例えば、周波数範囲、サブキャリア間隔、ＭＣＳレベル、もしくはスケジューリング帯域幅などの１つもしくは複数の送信パラメータに基づいて）決定されてよい。
【０３５６】
サイドリンクチャネルのＰＴ−ＲＳの密度および／または位置を決定する（例えば、決定するために使用するための手段）ための手段が、サイドリンクモードに基づいて決定され得る。手段は、（例えば、密度および／または位置の）構成またはシグナリングのような明示的手段であってもよい。手段は、１つまたは複数のパラメータ（例えば、明示的に密度および／または位置ではないパラメータ）に基づく決定のような暗黙的手段であってもよい。例えば、サイドリンクチャネルのＰＴ−ＲＳの密度および／または位置は、第１のサイドリンクモードでは、（例えば、上位レイヤシグナリングによって）構成されてよい。第２のサイドリンクモードでは、サイドリンクチャネルのＰＴ−ＲＳの密度および／または位置は、周波数範囲、サブキャリア間隔、ＭＣＳレベル、スケジューリング帯域幅などの１つまたは複数の送信パラメータに基づいて決定されてよい。
【０３５７】
解決策では、サイドリンクチャネル（例えば、ＰＳＣＣＨおよび／またはＰＳＳＣＨ）におけるＰＴ−ＲＳの存在、密度および／または位置は、以下の送信パラメータのうちの１つまたは複数に基づいて決定され得る：ＷＴＲＵ間の相対速度、ＷＴＲＵ間のカバレッジレベル（例えば、近接レベル）、セル内のＷＴＲＵ（例えば、Ｔｘ  ＷＴＲＵ）の地理的位置、サイドリンクチャネルに使用されるシンボルの数、周波数範囲、サイドリンクリソースがスケジューリング、構成、および／もしくは選択に基づいて決定され得る、決定されたサイドリンクリソースの時間／周波数位置もしくはサイドリンクリソースインデックスもしくはアイデンティティ、ＤＭ−ＲＳ密度（例えば、ＤＭ−ＲＳに使用されるシンボルの数）、並びに／またはチャネルもしくは関連付けられたチャネルに使用される探索空間（例えば、ＰＳＳＣＨ内もしくはＰＳＳＣＨと共にＰＴ−ＲＳを送信するときの関連付けられたＰＳＣＣＨチャネルの探索空間）。
【０３５８】
例では、１つまたは複数のサイドリンクリソースが構成（例えば事前構成）されてよく、（例えば各）サイドリンクリソースがサイドリンクリソースアイデンティティ（例えばＳＬ−ｉｄ）に関連付けられてよい。ＷＴＲＵは、送信または受信のためのサイドリンクリソースを決定することができる。サイドリンクチャネル（例えば、ＰＳＣＣＨ、ＰＳＳＣＨ）におけるＰＴ−ＲＳの存在、密度、および／または位置は、決定されたサイドリンクリソースアイデンティティに基づいて決定され得る。
【０３５９】
ＰＴ−ＲＳの位置は、１つもしくは複数のＲＢ位置、および／または１つもしくは複数のサブキャリア位置を含むことができる。
【０３６０】
解決策では、サイドリンクチャネル（例えば、ＰＳＣＣＨおよび／またはＰＳＳＣＨ）におけるＰＴ−ＲＳの存在、密度、および／または位置は、ＤＭ−ＲＳ密度（例えば、ＤＭ−ＲＳに使用されるシンボルの数）に基づいて決定され得る。例では、サイドリンクチャネルのＤＭ−ＲＳ密度が閾値未満である場合、ＰＴ−ＲＳはサイドリンクチャネルに存在しなくてもよく、そうでない場合、ＰＴ−ＲＳはサイドリンクチャネルに存在することができる。別の例では、サイドリンクチャネルのＤＭ−ＲＳ密度が閾値未満である場合、第１のＰＴ−ＲＳ密度がサイドリンクチャネルに使用されてよく、そうでない場合、第２のＰＴ−ＲＳ密度がサイドリンクチャネルに使用されてよい。サイドリンクチャネルのＤＭ−ＲＳ密度は、サイドリンクチャネルリソース割り当て（例えば、ＳＬ−Ｍｏｄｅ＿１）のために関連付けられたＰＤＣＣＨで示され得る。
【０３６１】
解決策では、サイドリンクチャネルでのＰＴ−ＲＳのＲＢオフセットは、送信機ＷＴＲＵまたは受信機ＷＴＲＵのＷＴＲＵアイデンティティ（ＷＴＲＵ−ｉｄ）に基づいて決定され得る。あるいは、サイドリンクチャネルでのＰＴ−ＲＳのＲＢオフセットは、宛先アイデンティティに基づいて決定されてよく、宛先アイデンティティは、サイドリンクチャネルが送信され得るグループＩＤ（例えば、ＰｒｏＳｅグループＩＤ）であってよい。ＷＴＲＵ−ｉｄは、ＷＴＲＵ（すなわち、送信機ＷＴＲＵまたは受信機ＷＴＲＵ）に対して割り当てられたＲＮＴＩ（例えば、Ｃ−ＲＮＴＩ、ＳＬ−ＲＮＴＩ）であり得る。ＷＴＲＵ−ｉｄおよび／またはグループＩＤは、サイドリンク送信のための（例えば、ＰＤＣＣＨからの）リソースグラント内で提供され得る。
【０３６２】
別の解決策では、チャネル（例えば、サイドリンクチャネル）におけるＰＴ−ＲＳのＲＢオフセットは、チャネルの送信のために使用され得るスクランブリングコードもしくはシーケンス（例えば、スクランブリングコードもしくはシーケンスのインデックスもしくはアイデンティティ）、チャネルと共に送信され得るＤＭ−ＲＳ（例えば、ＤＭ−ＲＳのインデックスもしくはアイデンティティ、例えばＤＭ−ＲＳシーケンスのインデックスもしくはアイデンティティなど）、および／またはチャネルもしくは関連付けられたチャネルに使用される探索空間（例えば、ＰＳＳＣＨ内もしくはＰＳＳＣＨと共にＰＴ−ＲＳを送信するときの関連付けられたＰＳＣＣＨチャネルの探索空間）のうちの少なくとも１つに基づいて決定され得る。
【０３６３】
特徴および要素が特定の組み合わせで上述されているが、各特徴または要素は単独でまたは他の特徴および要素との任意の組み合わせで使用され得ることは、当業者には理解されよう。また、本明細書に説明された方法は、コンピュータまたはプロセッサによる実行のためにコンピュータ可読媒体に組み込まれたコンピュータプログラム、ソフトウェア、またはファームウェアで実装されてもよい。コンピュータ可読媒体の例は、（有線または無線接続を介して送信される）電子信号、およびコンピュータ可読記憶媒体を含む。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびデジタル多用途ディスク（ＤＶＤ）などの光媒体を含むが、これらに限定されない。ＷＴＲＵ、ＵＥ、端末、基地局、ＲＮＣ、または任意のホストコンピュータにおいて使用するための無線周波数トランシーバを実装するために、ソフトウェアと関連するプロセッサが使用され得る。
【図１Ａ】
2021503224.tif 000087
【図１Ｂ】
2021503224.tif 000088
【図１Ｃ】
2021503224.tif 000089
【図１Ｄ】
2021503224.tif 000090
【図２】
2021503224.tif 000091
【図３】
2021503224.tif 000092
【図４】
2021503224.tif 000093
【図５】
2021503224.tif 000094
【図６】
2021503224.tif 000095
【図７】
2021503224.tif 000096
【図８】
2021503224.tif 000097
【図９】
2021503224.tif 000098
【図１０】
2021503224.tif 000099
【図１１Ａ】
2021503224.tif 000100
【図１１Ｂ】
2021503224.tif 000101
【図１２】
2021503224.tif 000102
【図１３】
2021503224.tif 000103
【図１４】
2021503224.tif 000104
【図１５】
2021503224.tif 000105
【図１６】
2021503224.tif 000106
【図１７】
2021503224.tif 000107
【図１８】
2021503224.tif 000108
【図１９】
2021503224.tif 000109
【図２０】
2021503224.tif 000110
【図２１】
2021503224.tif 000111
【図２２】
2021503224.tif 000112
【図２３】
2021503224.tif 000113
【図２４】
2021503224.tif 000114
【図２５】
2021503224.tif 000115
【図２６】
2021503224.tif 000116
【図２７】
2021503224.tif 000117
【図２８】
2021503224.tif 000118
【図２９】
2021503224.tif 000119
【図３０】
2021503224.tif 000120
【図３１】
2021503224.tif 000121
【図３２】
2021503224.tif 000122
【図３３】
2021503224.tif 000123
【図３４】
2021503224.tif 000124
【図３５】
2021503224.tif 000125
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）によって実行される方法であって、
スケジュールされたリソースブロック（ＲＢ）の数を示す制御情報を受信することと、
スケジュールされたＲＢの数に基づいて位相トラッキング参照信号（ＰＴ−ＲＳ）密度を決定することと、
前記ＰＴ−ＲＳ密度に基づいて最大ＲＢオフセット値を決定することと、
前記最大ＲＢオフセット値を法とするＷＴＲＵ識別（ＷＴＲＵ−ＩＤ）に基づいて、ＷＴＲＵのＲＢオフセット値を決定することと、
前記ＲＢオフセット値を使用してＰＴ−ＲＳを有する信号を送信または受信することと
を備える方法。
【請求項２】
前記ＰＴ−ＲＳ密度は、２または４の値を有する、請求項１の方法。
【請求項３】
前記ＰＴ−ＲＳ密度を法とするスケジュールされたＲＢの前記数はゼロである、請求項１の方法。
【請求項４】
前記ＰＴ−ＲＳ密度を法とするスケジュールされたリソースブロックの前記数がゼロではないという条件で、前記最大ＲＢオフセット値は、スケジュールされたリソースブロックの前記数および前記ＰＴ−ＲＳ密度の両方に基づく、請求項１の方法。
【請求項５】
前記制御情報は、前記ＷＴＲＵ−ＩＤに関連付けられる、請求項１の方法。
【請求項６】
前記ＷＴＲＵ−ＩＤは、Ｃ−ＲＮＴＩである、請求項１の方法。
【請求項７】
前記ＲＢオフセット値は、ゼロから始まる数のセットを備える、請求項１の方法。
【請求項８】
前記ＰＴ−ＲＳ密度は、その後にＰＴ−ＲＳが繰り返すことができるＲＢインデックス内のＲＢの数である、請求項１の方法。
【請求項９】
ＰＴ−ＲＳを有する信号は、スケジュールされたＰＵＳＣＨで送信され、またはスケジュールされたＰＤＳＣＨで受信される、請求項１の方法。
【請求項１０】
無線送受信ユニット（ＷＴＲＵ）である装置であって、
プロセッサに動作可能なように結合されたトランシーバを備え、
前記トランシーバおよびプロセッサは、
スケジュールされたリソースブロック（ＲＢ）の数を示す制御情報を受信し、
スケジュールされたＲＢの数に基づいて位相トラッキング参照信号（ＰＴ−ＲＳ）密度を決定し、
スケジュールされたＲＢの前記数および前記ＰＴ−ＲＳ密度の両方に基づいて最大ＲＢオフセット値を決定し、
前記最大ＲＢオフセット値を法とするＷＴＲＵ識別（ＷＴＲＵ−ＩＤ）に基づいて、ＷＴＲＵのＲＢオフセット値を決定し、
前記ＲＢオフセット値を使用してＰＴ−ＲＳを有する信号を送信または受信する
ように構成された装置。
【請求項１１】
前記ＰＴ−ＲＳ密度は、２または４の値を有する、請求項１０の装置。
【請求項１２】
前記ＰＴ−ＲＳ密度を法とするスケジュールされたＲＢの前記数はゼロである、請求項１０の装置。
【請求項１３】
前記ＰＴ−ＲＳ密度を法とするスケジュールされたリソースブロックの前記数はゼロではない、請求項１０の装置。
【請求項１４】
前記制御情報は、前記ＷＴＲＵ−ＩＤに関連付けられる、請求項１０の装置。
【請求項１５】
前記ＷＴＲＵ−ＩＤは、Ｃ−ＲＮＴＩである、請求項１０の装置。
【請求項１６】
前記ＲＢオフセット値は、ゼロから始まる数のセットを備える、請求項１０の装置。
【請求項１７】
前記ＰＴ−ＲＳ密度は、その後にＰＴ−ＲＳが繰り返すことができるＲＢインデックス内のＲＢの数である、請求項１０の装置。
【請求項１８】
ＰＴ−ＲＳを有する信号は、スケジュールされたＰＵＳＣＨで送信され、またはスケジュールされたＰＤＳＣＨで受信される、請求項１０の装置。
【国際調査報告】
2021503224.tif 000126
2021503224.tif 000127
2021503224.tif 000128